(57)【要約】  パケットをワイヤレス通信する方法は、ワイヤレスデバイスにおいて、第１のパケットを生成することを含む。第１のパケットは、複数のデバイスによって復号可能な第１のプリアンブルと、複数のデバイスのサブセットのみによって復号可能な第２のプリアンブルとを含む。第１のプリアンブルは、第１の信号フィールドを含み、第２のプリアンブルは、第２の信号フィールドを含む。本方法は、非長さ信号情報を運搬するように第１の信号フィールドの長さ指示を設定することをさらに含む。本方法は、第１のパケットを送信することをさらに含む。【選択図】図１
2017533650.tif 000002
【特許請求の範囲】
【請求項１】
ワイヤレス通信の方法であって、
ワイヤレスデバイスにおいて、複数のデバイスによって復号可能な第１のプリアンブルと、前記複数のデバイスのサブセットのみによって復号可能な第２のプリアンブルとを備える第１のパケットを生成することと、前記第１のプリアンブルは第１の信号フィールドを備え、前記第２のプリアンブルは第２の信号フィールドを備え、
非長さ信号情報を運搬するように前記第１の信号フィールドの長さ指示を設定することと、
前記第１のパケットを送信することと
を備える、方法。
【請求項２】
前記第１の信号フィールドの前記長さ指示を前記設定することは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づく、請求項１に記載の方法。
【請求項３】
前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、請求項１に記載の方法。
【請求項４】
前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、請求項１に記載の方法。
【請求項５】
前記長さ指示は、前記第２の信号フィールドにおいて開始する１つまたは複数の後続のシンボルのガードインターバル長さを示す、請求項１に記載の方法。
【請求項６】
前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、請求項１に記載の方法。
【請求項７】
前記長さ指示は、前記第１の信号フィールド後のプリセットされた数のシンボル後から開始する前記ガードインターバル長さを示す、請求項１に記載の方法。
【請求項８】
前記第２のプリアンブルは、前記第１のトレーニングフィールドと第２のトレーニングフィールドとをさらに備え、前記第１のトレーニングフィールドは、前記第２のトレーニングフィールドよりも長い、請求項１に記載の方法。
【請求項９】
前記第１の信号フィールドは、正または負の極性を有する第３の信号フィールドの繰り返しであり、前記長さ指示を設定することは、前記第１の信号フィールドの前記極性を設定することを備える、請求項１に記載の方法。
【請求項１０】
前記長さ指示、モジュロ３を０に設定することは、第３のガードインターバル長さを示す、請求項３に記載の方法。
【請求項１１】
ワイヤレス通信を実行するように構成された装置であって、
複数のデバイスによって復号可能な第１のプリアンブルと、前記複数のデバイスのサブセットのみによって復号可能な第２のプリアンブルとを備える第１のパケットを生成することと、前記第１のプリアンブルは、第１の信号フィールドを備え、前記第２のプリアンブルは、第２の信号フィールドを備え、
非長さ信号情報を運搬するように前記第１の信号フィールドの長さ指示を設定することと
を行うように構成されたプロセッサと、
前記第１のパケットを送信するように構成された送信機と
を備える、装置。
【請求項１２】
前記プロセッサは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づいて、前記第１の信号フィールドの前記長さ指示を設定するように構成された、請求項１１に記載の装置。
【請求項１３】
前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、請求項１１に記載の装置。
【請求項１４】
前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、請求項１１に記載の装置。
【請求項１５】
前記長さ指示は、前記第２の信号フィールドにおいて開始する１つまたは複数の後続のシンボルのガードインターバル長さを示す、請求項１１に記載の装置。
【請求項１６】
前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、
請求項１１に記載の装置。
【請求項１７】
前記長さ指示は、前記第１の信号フィールド後のプリセットされた数のシンボル後から開始する前記ガードインターバル長さを示す、請求項１１に記載の装置。
【請求項１８】
前記第２のプリアンブルは、前記第１のトレーニングフィールドと第２のトレーニングフィールドとをさらに備え、前記第１のトレーニングフィールドは、前記第２のトレーニングフィールドよりも長い、請求項１１に記載の装置。
【請求項１９】
前記第１の信号フィールドは、正または負の極性を有する第３の信号フィールドの繰り返しであり、前記長さ指示を設定することは、前記第１の信号フィールドの前記極性を設定することを備える、請求項１１に記載の装置。
【請求項２０】
前記長さ指示、モジュロ３を０に設定することは、第３のガードインターバル長さを示す、請求項１３に記載の装置。
【請求項２１】
ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段と、前記第１のプリアンブルは、第１の信号フィールドを備え、前記第２のプリアンブルは、第２の信号フィールドを備え、
非長さ信号情報を運搬するように前記第１の信号フィールドの長さ指示を設定するための手段と、
前記第１のパケットを送信するための手段と
を備える、装置。
【請求項２２】
前記第１の信号フィールドの前記長さ指示を前記設定することは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づく、請求項２１に記載の装置。
【請求項２３】
前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、請求項２１に記載の装置。
【請求項２４】
前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、請求項２１に記載の装置。
【請求項２５】
前記長さ指示は、前記第２の信号フィールドにおいて開始する１つまたは複数の後続のシンボルのガードインターバル長さを示す、請求項２１に記載の装置。
【請求項２６】
前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、請求項２１に記載の装置。
【請求項２７】
前記長さ指示は、前記第１の信号フィールド後のプリセットされた数のシンボル後から開始する前記ガードインターバル長さを示す、請求項２１に記載の装置。
【請求項２８】
前記第２のプリアンブルは、前記第１のトレーニングフィールドと第２のトレーニングフィールドとをさらに備え、前記第１のトレーニングフィールドは、前記第２のトレーニングフィールドよりも長い、請求項２１に記載の装置。
【請求項２９】
前記第１の信号フィールドは、正または負の極性を有する第３の信号フィールドの繰り返しであり、前記長さ指示を設定することは、前記第１の信号フィールドの前記極性を設定することを備える、請求項２１に記載の装置。
【請求項３０】
実行されたとき、装置に、
複数のデバイスによって復号可能な第１のプリアンブルと、前記複数のデバイスのサブセットのみによって復号可能な第２のプリアンブルとを備える第１のパケットを生成することと、前記第１のプリアンブルは、第１の信号フィールドを備え、前記第２のプリアンブルは、第２の信号フィールドを備え、
非長さ信号情報、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
を運搬するように前記第１の信号フィールドの長さ指示を設定することと、
前記第１のパケットを送信することと
を行わせるコードを備える非一時的コンピュータ可読媒体。
【発明の詳細な説明】
【優先権主張】
【０００１】
[0001]  本出願は、その各々の全体が参照により本明細書に組み込まれる、２０１４年１０月２２日に出願された米国仮出願第６２／０６７，３１６号、および２０１４年１０月３１日に出願された米国仮出願第６２／０７３，８５４号の利益を主張する。
【分野】
【０００２】
[0002]  本開示のある態様は、一般にワイヤレス通信に関し、より詳細には、ワイヤレスネットワークにおける通信のためのガードインターバルを示すための方法および装置に関する。
【背景】
【０００３】
[0003]  多くの電気通信システムにおいて、通信ネットワークは、いくつかの対話している空間的に分離されたデバイスの間でメッセージを交換するために使用される。ネットワークは、例えば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定され得る。ネットワークはまた、様々なネットワークノードとデバイスとを相互接続するために使用される交換／ルーティング技法（例えば、回線交換対パケット交換）、送信のために採用される物理媒体のタイプ（例えば、ワイヤード対ワイヤレス）、および使用される通信プロトコルのセット（例えば、インターネットプロトコルスイート、ＳＯＮＥＴ（同期光ネットワーキング：Synchronous Optical Networking）、イーサネット（登録商標）等）に従って異なる。
【０００４】
[0004]  ワイヤレスネットワークは、しばしば、ネットワーク要素がモバイルであり、したがって動的接続性の必要を有するときに、またはネットワークアーキテクチャが、固定というよりアドホックなトポロジーで形成される場合に好適である。ワイヤレスネットワークは、無線、マイクロ波、赤外線、光等の周波数帯域中の電磁波を使用する無誘導伝搬モードにおいて、無形物理媒体を採用する。ワイヤレスネットワークは、有利には、固定ワイヤードネットワークと比較したとき、ユーザモビリティと迅速なフィールド展開とを容易にする。
【０００５】
[0005]  多数のデバイス間でワイヤレス通信される情報の量および複雑さが増加し続けるにつれて、物理レイヤ制御信号に必要なオーバーヘッド帯域幅は、少なくとも線形的に増加し続ける。物理レイヤ制御情報を搬送するために利用されるビット数は、必要とされるオーバーヘッドのかなりの部分になってきている。よって、限られた通信リソースで、特に多数のタイプのトラフィックがアクセスポイントから多数の端末に同時に送られるので、この物理レイヤ制御情報を搬送するために必要とされるビット数を低減することが望ましい。例えば、ワイヤレスデバイスがアクセスポイントに低レートアップリンク通信を送るとき、後方互換性を維持しながら、シグナリングおよびパケット収集のために使用されるビット数を最小化することが望ましい。よって、混合レート送信のための改善されたプロトコルが必要である。
【概要】
【０００６】
[0006]  添付の特許請求の範囲内のシステム、方法およびデバイスの様々なインプリメンテーション（implementation）は、それぞれいくつかの態様を有し、それらのうちの単一の態様が、単独で、本明細書で説明する望ましい属性を担うとは限らない。添付の特許請求の範囲を限定することなしに、いくつかの顕著な特徴について本明細書で説明する。
【０００７】
[0007]  本明細書で説明する主題の１つまたは複数のインプリメンテーションの詳細を添付の図面および以下の説明に記載する。他の特徴、態様、および利点は、説明、図面、および特許請求の範囲から明らかになり得る。以下の図の相対寸法は一定の縮尺で描かれていないことがあることに留意されたい。
【０００８】
[0008]  本開示の一態様は、ワイヤレス通信の方法を提供する。本方法は、ワイヤレスデバイスにおいて、第１のパケットを生成することを含む。第１のパケットは、複数のデバイスによって復号可能な第１のプリアンブルと、複数のデバイスのサブセットのみによって復号可能な第２のプリアンブルとを含む。第１のプリアンブルは、第１の信号フィールドを含み、第２のプリアンブルは、第２の信号フィールドを含む。本方法は、非長さ信号（non-length signal）情報を運搬するように第１の信号フィールドの長さ指示（length indication）を設定することをさらに含む。本方法は、第１のパケットを送信することをさらに含む。
【０００９】
[0009]  様々な実施形態において、第１の信号フィールドの長さ指示を設定することは、１つまたは複数の後続のシンボルのガードインターバル長さ、第１のトレーニングフィールドの圧縮モード、後続のフィールドの繰り返し、１つまたは複数の後続のシンボルのための多数のガードインターバルオプション、１つまたは複数の後続のシンボルのための多数の変調およびコーディング方式（modulation and coding scheme）、あるいは１つまたは複数の後続のシンボルのための信号対干渉プラス雑音比（signal-to-interference-plus-noise ratio）サポートのうちの１つまたは複数に少なくとも基づき得る。
【００１０】
[0010]  様々な実施形態において、長さ指示、モジュロ３（length indication, modulo 3）を１に設定することは、第１のガードインターバル長さを示すことができる。長さ指示、モジュロ３を２に設定することは、第２のガードインターバル長さを示すことができる。第１のガードインターバル長さは、第２のガードインターバル長さよりも短くなり得る。
【００１１】
[0011]  様々な実施形態において、長さ指示、モジュロ３を２に設定することは、第１のガードインターバル長さを示すことができる。長さ指示、モジュロ３を１に設定することは、第２のガードインターバル長さを示すことができる。第１のガードインターバル長さは、第２のガードインターバル長さよりも短くなり得る。
【００１２】
[0012]  様々な実施形態において、第１のパケットは第１の信号フィールドの繰り返されたバージョンをさらに含むことができる。第２のプリアンブルは第３の信号フィールドをさらに含むことができる。長さ指示は、第３の信号フィールドにおいて開始するガードインターバル長さを示すことができる。
【００１３】
[0013]  様々な実施形態において、長さ指示は、第１の信号フィールド後のプリセットされた数のシンボル後から開始するガードインターバル長さを示すことができる。様々な実施形態において、第２のプリアンブルは第１のトレーニングフィールドと第２のトレーニングフィールドとをさらに含むことができ、第１のトレーニングフィールドは第２のトレーニングフィールドよりも長い。様々な実施形態において、長さ指示は、第２の信号フィールドにおいて開始する１つまたは複数の後続のシンボルのガードインターバル長さを示すことができる。
【００１４】
[0014]  様々な実施形態において、第１の信号フィールドは、正または負の極性を有する第３の信号フィールドの繰り返しであり、長さ指示を設定することは、第１の信号フィールドの極性を設定することを含むことができる。様々な実施形態において、長さ指示、モジュロ３を０に設定することは、第３のガードインターバル長さを示すことができる。
【００１５】
[0015]  別の態様は、ワイヤレス通信を実行するように構成された装置を提供する。本装置は、第１のパケットを生成するように構成されたプロセッサを含む。パケットは、複数のデバイスによって復号可能な第１のプリアンブルと、複数のデバイスのサブセットのみによって復号可能な第２のプリアンブルとを含む。第１のプリアンブルは第１の信号フィールドを含み、第２のプリアンブルは第２の信号フィールドを含む。プロセッサは、非長さ信号情報を運搬するように第１の信号フィールドの長さ指示を設定するようにさらに構成される。本装置は、第１のパケットを送信するように構成された送信機をさらに含む。
【００１６】
[0016]  様々な実施形態において、プロセッサは、１つまたは複数の後続のシンボルのガードインターバル長さ、第１のトレーニングフィールドの圧縮モード、後続のフィールドの繰り返し、１つまたは複数の後続のシンボルのための多数のガードインターバルオプション、１つまたは複数の後続のシンボルのための多数の変調およびコーディング方式、あるいは１つまたは複数の後続のシンボルのための信号対干渉プラス雑音比サポートのうちの１つまたは複数に少なくとも基づき得る、第１の信号フィールドの長さ指示を設定するように構成され得る。
【００１７】
[0017]  様々な実施形態において、長さ指示、モジュロ３を１に設定することは、第１のガードインターバル長さを示すことができる。長さ指示、モジュロ３を２に設定することは、第２のガードインターバル長さを示すことができる。第１のガードインターバル長さは、第２のガードインターバル長さよりも短くなり得る。
【００１８】
[0018]  様々な実施形態において、長さ指示、モジュロ３を２に設定することは、第１のガードインターバル長さを示すことができる。長さ指示、モジュロ３を１に設定することは、第２のガードインターバル長さを示すことができる。第１のガードインターバル長さは、第２のガードインターバル長さよりも短くなり得る。
【００１９】
[0019]  様々な実施形態において、第１のパケットは第１の信号フィールドの繰り返されたバージョンをさらに含むことができる。第２のプリアンブルは第３の信号フィールドをさらに含むことができる。長さ指示は、第３の信号フィールドにおいて開始するガードインターバル長さを示すことができる。
【００２０】
[0020]  様々な実施形態において、長さ指示は、第１の信号フィールド後のプリセットされた数のシンボル後から開始するガードインターバル長さを示すことができる。様々な実施形態において、第２のプリアンブルは第１のトレーニングフィールドと第２のトレーニングフィールドとをさらに含むことができ、第１のトレーニングフィールドは第２のトレーニングフィールドよりも長い。様々な実施形態において、長さ指示は、第２の信号フィールドにおいて開始する１つまたは複数の後続のシンボルのガードインターバル長さを示すことができる。
【００２１】
[0021]  様々な実施形態において、第１の信号フィールドは、正または負の極性を有する第３の信号フィールドの繰り返しであり、長さ指示を設定することは、第１の信号フィールドの極性を設定することを含むことができる。様々な実施形態において、長さ指示、モジュロ３を０に設定することは、第３のガードインターバル長さを示すことができる。
【００２２】
[0022]  別の態様は、ワイヤレス通信のための別の装置を提供する。本装置は、第１のパケットを生成するための手段を含む。第１のパケットは、複数のデバイスによって復号可能な第１のプリアンブルと、複数のデバイスのサブセットのみによって復号可能な第２のプリアンブルとを含む。第１のプリアンブルは第１の信号フィールドを含み、第２のプリアンブルは第２の信号フィールドを含む。本装置は、非長さ信号情報を運搬するように第１の信号フィールドの長さ指示を設定するための手段をさらに含む。本装置は、第１のパケットを送信するための手段をさらに含む。
【００２３】
[0023]  様々な実施形態において、第１の信号フィールドの長さ指示を設定することは、１つまたは複数の後続のシンボルのガードインターバル長さ、第１のトレーニングフィールドの圧縮モード、後続のフィールドの繰り返し、１つまたは複数の後続のシンボルのための多数のガードインターバルオプション、１つまたは複数の後続のシンボルのための多数の変調およびコーディング方式、あるいは１つまたは複数の後続のシンボルのための信号対干渉プラス雑音比サポートのうちの１つまたは複数に少なくとも基づき得る。
【００２４】
[0024]  様々な実施形態において、長さ指示、モジュロ３を１に設定することは、第１のガードインターバル長さを示すことができる。長さ指示、モジュロ３を２に設定することは、第２のガードインターバル長さを示すことができる。第１のガードインターバル長さは、第２のガードインターバル長さよりも短くなり得る。
【００２５】
[0025]  様々な実施形態において、長さ指示、モジュロ３を２に設定することは、第１のガードインターバル長さを示すことができる。長さ指示、モジュロ３を１に設定することは、第２のガードインターバル長さを示すことができる。第１のガードインターバル長さは、第２のガードインターバル長さよりも短くなり得る。
【００２６】
[0026]  様々な実施形態において、第１のパケットは第１の信号フィールドの繰り返されたバージョンをさらに含むことができる。第２のプリアンブルは第３の信号フィールドをさらに含むことができる。長さ指示は、第３の信号フィールドにおいて開始するガードインターバル長さを示すことができる。
【００２７】
[0027]  様々な実施形態において、長さ指示は、第１の信号フィールド後のプリセットされた数のシンボル後から開始するガードインターバル長さを示すことができる。様々な実施形態において、第２のプリアンブルは第１のトレーニングフィールドと第２のトレーニングフィールドとをさらに含むことができ、第１のトレーニングフィールドは第２のトレーニングフィールドよりも長い。様々な実施形態において、長さ指示は、第２の信号フィールドにおいて開始する１つまたは複数の後続のシンボルのガードインターバル長さを示すことができる。
【００２８】
[0028]  別の態様は、非一時的コンピュータ可読媒体を提供する。本媒体は、実行されたとき、装置に、第１のパケットを生成させるコードを含む。パケットは、複数のデバイスによって復号可能な第１のプリアンブルと、複数のデバイスのサブセットのみによって復号可能な第２のプリアンブルとを含む。第１のプリアンブルは第１の信号フィールドを含み、第２のプリアンブルは第２の信号フィールドを含む。本媒体は、実行されたとき、装置に、非長さ信号情報を運搬するように第１の信号フィールドの長さ指示を設定させるコードをさらに含む。本媒体は、実行されたとき、装置に、第１のパケットを送信させるコードをさらに含む。
【００２９】
[0029]  様々な実施形態において、第１の信号フィールドの長さ指示を設定することは、１つまたは複数の後続のシンボルのガードインターバル長さ、第１のトレーニングフィールドの圧縮モード、後続のフィールドの繰り返し、１つまたは複数の後続のシンボルのための多数のガードインターバルオプション、１つまたは複数の後続のシンボルのための多数の変調およびコーディング方式、あるいは１つまたは複数の後続のシンボルのための信号対干渉プラス雑音比サポートのうちの１つまたは複数に少なくとも基づき得る。
【００３０】
[0030]  様々な実施形態において、長さ指示、モジュロ３を１に設定することは、第１のガードインターバル長さを示すことができる。長さ指示、モジュロ３を２に設定することは、第２のガードインターバル長さを示すことができる。第１のガードインターバル長さは、第２のガードインターバル長さよりも短くなり得る。
【００３１】
[0031]  様々な実施形態において、長さ指示、モジュロ３を２に設定することは、第１のガードインターバル長さを示すことができる。長さ指示、モジュロ３を１に設定することは、第２のガードインターバル長さを示すことができる。第１のガードインターバル長さは、第２のガードインターバル長さよりも短くなり得る。
【００３２】
[0032]  様々な実施形態において、第１のパケットは第１の信号フィールドの繰り返されたバージョンをさらに含むことができる。第２のプリアンブルは第３の信号フィールドをさらに含むことができる。長さ指示は、第３の信号フィールドにおいて開始するガードインターバル長さを示すことができる。
【００３３】
[0033]  様々な実施形態において、長さ指示は、第１の信号フィールド後のプリセットされた数のシンボル後から開始するガードインターバル長さを示すことができる。様々な実施形態において、第２のプリアンブルは第１のトレーニングフィールドと第２のトレーニングフィールドとをさらに含むことができ、第１のトレーニングフィールドは第２のトレーニングフィールドよりも長い。様々な実施形態において、長さ指示は、第２の信号フィールドにおいて開始する１つまたは複数の後続のシンボルのガードインターバル長さを示すことができる。
【００３４】
[0034]  様々な実施形態において、第１の信号フィールドは、正または負の極性を有する第３の信号フィールドの繰り返しであり、長さ指示を設定することは、第１の信号フィールドの極性を設定することを含むことができる。様々な実施形態において、長さ指示、モジュロ３を０に設定することは、第３のガードインターバル長さを示すことができる。
【図面の簡単な説明】
【００３５】
【図１】[0035]  本開示の態様が採用され得るワイヤレス通信システムの一例を例証する図。
【図２】[0036]  図１のワイヤレス通信システム内で採用され得るワイヤレスデバイスにおいて利用され得る様々な構成要素を例証する図。
【図３】[0037]  ８０２．１１システムのために利用可能なチャネルのためのチャネル割振りを例証する図。
【図４】[0038]  いくつかの米国電気電子技術者協会（ＩＥＥＥ）８０２．１１規格のためのデータパケットフォーマットを例証する図。
【図５】いくつかの米国電気電子技術者協会（ＩＥＥＥ）８０２．１１規格のためのデータパケットフォーマットを例証する図。
【図６】[0039]  ＩＥＥＥ８０２．１１ａｃ規格のためのフレームフォーマットを例証する図。
【図７】[0040]  後方互換多元接続ワイヤレス通信を可能にするために使用され得る物理レイヤパケットの例示的な構造を例証する図。
【図８】[0041]  ワイヤレス通信を可能にするために使用され得るアップリンクまたはダウンリンク物理レイヤパケットの例示的な構造を例証する図。
【図９】[0042]  ワイヤレス通信を可能にするために使用され得るアップリンク物理レイヤパケットの別の例示的な構造を例証する図。
【図１０】[0043]  図１のワイヤレス通信システム内で採用され得るワイヤレス通信の例示的な方法のためのフローチャートを指し示す図。
【発明を実施するための形態】
【００３６】
[0044]  添付の図面を参照しながら、新規のシステム、装置、および方法の様々な態様について以下でより十分に説明する。ただし、開示する教示は、多くの異なる形態で具現され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために提供される。本明細書の教示に基づいて、本開示の範囲は、本発明の他の何らかの態様とは無関係にインプリメントされるにせよ、本発明の他の何らかの態様と組み合わせられるにせよ、本明細書で開示する新規のシステム、装置、および方法のいかなる態様をもカバーすることを意図していることを、当業者は諒解されたい。例えば、本明細書に記載する態様をいくつ使用しても、装置はインプリメントされ得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーすることを意図している。本明細書で開示するいかなる態様も請求項の１つまたは複数の要素によって具現され得ることを理解されたい。
【００３７】
[0045]  本明細書では特有の態様について説明するが、これらの態様の多くの変形および置換は本開示の範囲内に入る。好適な態様のいくつかの利益および利点について説明するが、本開示の範囲は特定の利益、使用、または目的に限定されることを意図するものではない。むしろ、本開示の態様は、異なるワイヤレス技術、システム構成、ネットワーク、および伝送プロトコルに広く適用可能であることを意図しており、それらのうちのいくつかを例として、図において、および好適な態様についての以下の説明において例証する。詳細な説明および図面は、限定するものではなく、本開示を例証するものにすぎず、本開示の範囲は添付の特許請求の範囲およびそれの均等物によって定義される。
【００３８】
[0046]  ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーのような、任意の通信規格に適用され得る。例えば、本明細書で説明する様々な態様は、直交周波数分割多元接続（ＯＦＤＭＡ）通信をサポートする８０２．１１プロトコルのような、ＩＥＥＥ８０２．１１プロトコルの一部として使用され得る。
【００３９】
[0047]  局（ＳＴＡ）等、多数のデバイスが同時にアクセスポイント（ＡＰ）と通信することを可能にすることは有益であり得る。例えば、これは、多数のＳＴＡがより少ない時間においてＡＰから応答を受信し、より少ない遅延を伴ってＡＰにデータを送信およびＡＰからデータを受信することができるようにすることを可能にすることができる。これはまた、ＡＰが全体的により多くの数のデバイスと通信することを可能にすることができ、また、帯域幅使用をより効率的にすることができる。多元接続通信を使用することによって、ＡＰは、例えば、８０ＭＨｚ帯域幅上で一度に４つのデバイスに対して、直交周波数分割多重（ＯＦＤＭ）シンボルを多重化することが可能であり得、ここで、各デバイスは２０ＭＨｚ帯域幅を利用する。よって、多元接続は、いくつかの態様において、ＡＰが、ＡＰにとって利用可能なスペクトルをより効率的に使用することを可能にすることができるので、多元接続通信は有益であり得る。
【００４０】
[0048]  ＡＰとＳＴＡとの間で送信されるシンボルの異なるサブキャリア（または、トーン）を異なるＳＴＡに割り当てることによって、８０２．１１ファミリーのような、ＯＦＤＭシステム内でそのような多元接続プロトコルをインプリメントすることが提案されている。このようにして、ＡＰは、単一の送信されるＯＦＤＭシンボルを用いて多数のＳＴＡと通信し得、ここで、シンボルの異なるトーンが異なるＳＴＡによって復号および処理され、よって、多数のＳＴＡへの同時データ転送を可能にする。これらのシステムは、ときどき、ＯＦＤＭＡシステムと呼ばれる。
【００４１】
[0049]  そのようなトーン割振り方式は、本明細書では「高効率」（ＨＥ：high-efficiency）システムと呼ばれ、そのような複数トーン割振りシステムにおいて送信されるデータパケットは高効率（ＨＥ）パケットと呼ばれ得る。後方互換プリアンブルフィールドを含むそのようなパケットの様々な構造について以下で詳細に説明する。
【００４２】
[0050]  添付の図面を参照しながら、新規のシステム、装置、および方法の様々な態様について以下でより十分に説明する。ただし、本開示は、多くの異なる形態で具現され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために提供される。本明細書の教示に基づいて、本開示の範囲は、本発明の他の何らかの態様とは無関係にインプリメントされるにせよ、本発明の他の何らかの態様と組み合わせられるにせよ、本明細書で開示する新規のシステム、装置、および方法のいかなる態様をもカバーすることを意図していることを、当業者は諒解されたい。例えば、本明細書に記載する態様をいくつ使用しても、装置はインプリメントされ得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーすることを意図している。本明細書で開示するいかなる態様も請求項の１つまたは複数の要素によって具現され得ることを理解されたい。
【００４３】
[0051]  本明細書では特定の態様について説明するが、これらの態様の多くの変形および置換は本開示の範囲内に入る。好適な態様のいくつかの利益および利点について説明するが、本開示の範囲は特定の利益、使用、または目的に限定されることを意図するものではない。むしろ、本開示の態様は、異なるワイヤレス技術、システム構成、ネットワーク、および伝送プロトコルに広く適用可能であることを意図しており、それらのうちのいくつかを例として、図において、および好適な態様についての以下の説明において例証する。詳細な説明および図面は、限定するものではなく、本開示を例証するものにすぎず、本開示の範囲は添付の特許請求の範囲およびそれの均等物によって定義される。
【００４４】
[0052]  普及しているワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、ワイヤレスプロトコルのような、任意の通信規格に適用され得る。
【００４５】
[0053]  いくつかの態様において、ワイヤレス信号は８０２．１１プロトコルに従って送信され得る。いくつかのインプリメンテーションにおいて、ＷＬＡＮは、ワイヤレスネットワークにアクセスする構成要素である様々なデバイスを含む。例えば、２つのタイプのデバイス、すなわちアクセスポイント（ＡＰ）および（局またはＳＴＡとも呼ばれる）クライアントがあり得る。概して、ＡＰはＷＬＡＮのためのハブまたは基地局として働くことができ、ＳＴＡはＷＬＡＮのユーザとして働く。例えば、ＳＴＡはラップトップコンピュータ、携帯情報端末（ＰＤＡ）、モバイルフォン等であり得る。一例において、ＳＴＡは、インターネットまたは他のワイドエリアネットワークへの一般的接続性を取得するためにＷｉＦｉ準拠ワイヤレスリンクを介してＡＰに接続する。いくつかのインプリメンテーションにおいて、ＳＴＡはＡＰとしても使用され得る。
【００４６】
[0054]  また、アクセスポイント（ＡＰ）は、基地局、ワイヤレスアクセスポイント、アクセスノードまたは同様の用語を含むか、それらのいずれかとしてインプリメントされるか、あるいはそれらのいずれかとして知られていることがある。
【００４７】
[0055]  また、局「ＳＴＡ」は、アクセス端末（ＡＴ）、加入者局、加入者ユニット、移動局、リモート局、リモート端末、ユーザ端末、ユーザエージェント、ユーザデバイス、ユーザ機器、または何らかの他の用語を含むか、それらのいずれかとしてインプリメントされるか、あるいはそれらのいずれかとして知られていることがある。したがって、本明細書で教示する１つまたは複数の態様は、電話（例えば、セルラーフォンまたはスマートフォン）、コンピュータ（例えば、ラップトップ）、ポータブル通信デバイス、ヘッドセット、ポータブルコンピューティングデバイス（例えば、個人情報端末）、エンターテインメントデバイス（例えば、音楽またはビデオデバイス、あるいは衛星ラジオ）、ゲームデバイスまたはシステム、全地球測位システムデバイス、あるいはワイヤレス媒体を介したネットワーク通信のために構成された任意の他の好適なデバイスに組み込まれ得る。
【００４８】
[0056]  上記で論議したように、本明細書で説明するデバイスのうちのいくつかは、例えば、８０２．１１規格をインプリメントすることができる。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を提供するか、またはホームオートメーションにおいて使用され得る。デバイスは、代わりにまたは追加として、ヘルスケアコンテキストにおいて、例えば、パーソナルヘルスケアのために使用され得る。それらのデバイスはまた、（例えば、ホットスポットとともに使用するための）拡張された範囲のインターネット接続性を可能にするために、またはマシンツーマシン通信をインプリメントするために、監視のために使用され得る。
【００４９】
[0057]  図１は、本開示の態様が採用され得るワイヤレス通信システム１００の一例を例証する。ワイヤレス通信システム１００は、ワイヤレス規格、例えば、８０２．１１ａｈ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、高効率ワイヤレス規格、例えば８０２．１１ａｘ規格に従って動作することができる。ワイヤレス通信システム１００は、（本明細書では、総称的に（１つまたは複数の）ＳＴＡ１０６と呼ばれることがある）ＳＴＡ１０６Ａ〜１０６Ｄと通信するＡＰ１０４を含むことができる。
【００５０】
[0058]  種々のプロセスおよび方法は、ＡＰ１０４とＳＴＡ１０６Ａ〜１０６Ｄとの間の、ワイヤレス通信システム１００における送信のために使用され得る。例えば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００５１】
[0059]  ＡＰ１０４からＳＴＡ１０６Ａ〜１０６Ｄのうちの１つまたは複数への送信を促進する通信リンクはダウンリンク（ＤＬ）１０８と呼ばれることがあり、ＳＴＡ１０６Ａ〜１０６Ｄのうちの１つまたは複数からＡＰ１０４への送信を促進する通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００５２】
[0060]  ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明するＡＰ１０４の機能は、代替的にＳＴＡ１０６Ａ〜１０６Ｄのうちの１つまたは複数によって実行され得る。
【００５３】
[0061]  いくつかの態様において、ＳＴＡ１０６は、ＡＰ１０４に通信を送るために、および／またはＡＰ１０４から通信を受信するために、ＡＰ１０４に関連付けることが必要とされ得る。一態様において、関連付けるための情報は、ＡＰ１０４によるブロードキャスト中に含まれる。そのようなブロードキャストを受信するために、ＳＴＡ１０６は、例えば、カバレージ領域にわたって広カバレージ探索を実行することができる。また、探索は、ＳＴＡ１０６が、例えば、灯台方式でカバレージ領域を掃引することによって実行され得る。関連付けるための情報を受信した後に、ＳＴＡ１０６は、関連付けプローブまたは要求のような基準信号をＡＰ１０４に送信することができる。いくつかの態様において、ＡＰ１０４は、例えば、インターネットまたは公衆交換電話網（ＰＳＴＮ）のような、より大きいネットワークと通信するために、バックホールサービスを使用することができる。
【００５４】
[0062]  一実施形態において、ＡＰ１０４は、ＡＰ高効率ワイヤレスコントローラ（ＨＥＷ）１５４を含む。ＡＰ  ＨＥＷ１５４は、８０２．１１プロトコルを使用して、ＡＰ１０４とＳＴＡ１０６Ａ〜１０６Ｄとの間の通信を可能にするために、本明細書で説明する動作の一部または全部を実行することができる。ＡＰ  ＨＥＷ１５４の機能について、図４〜図２０に関して以下でより詳細に説明する。
【００５５】
[0063]  代替的にまたは追加として、ＳＴＡ１０６Ａ〜１０６Ｄは、ＳＴＡ  ＨＥＷ１５６を含むことができる。ＳＴＡ  ＨＥＷ１５６は、８０２．１１プロトコルを使用して、ＳＴＡ１０６Ａ〜１０６ＤとＡＰ１０４との間の通信を可能にするために、本明細書で説明する動作の一部または全部を実行することができる。ＳＴＡ  ＨＥＷ１５６の機能について、図２〜図１１に関して以下でより詳細に説明する。
【００５６】
[0064]  図２は、図１のワイヤレス通信システム１００内で採用され得るワイヤレスデバイス２０２において利用され得る様々な構成要素を例証する。ワイヤレスデバイス２０２は、本明細書で説明する様々な方法をインプリメントするように構成され得るデバイスの一例である。例えば、ワイヤレスデバイス２０２は、ＡＰ１０４を含むか、またはＳＴＡ１０６Ａ〜１０６Ｄのうちの１つを含むことができる。
【００５７】
[0065]  ワイヤレスデバイス２０２は、ワイヤレスデバイス２０２の動作を制御するプロセッサ２０４を含むことができる。プロセッサ２０４は中央処理ユニット（ＣＰＵ）またはハードウェアプロセッサと呼ばれることもある。読取り専用メモリ（ＲＯＭ）とランダムアクセスメモリ（ＲＡＭ）の両方を含むことができるメモリ２０６は、プロセッサ２０４に命令とデータとを提供する。メモリ２０６の一部分は不揮発性ランダムアクセスメモリ（ＮＶＲＡＭ）をも含むことができる。プロセッサ２０４は、典型的に、メモリ２０６内に記憶されたプログラム命令に基づいて論理演算と算術演算とを実行する。メモリ２０６中の命令は、本明細書で説明する方法をインプリメントするように実行可能であり得る。
【００５８】
[0066]  プロセッサ２０４は、１つまたは複数のプロセッサを用いてインプリメントされた処理システムを含むか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、ディスクリートハードウェア構成要素、専用ハードウェア有限状態機械、あるいは情報の計算または他の操作を実行することができる任意の他の好適なエンティティの任意の組合せを用いてインプリメントされ得る。プロセッサ２０４、またはプロセッサ２０４およびメモリ２０６は、以下でより詳細に説明され得るように、パケットタイプフィールド中の値を含むパケットを生成し、パケットタイプフィールド中の値に少なくとも部分的に基づいて、複数の後続のフィールドの各々にパケットの複数のビットを割り振るために利用され得る、図１のパケット生成器１２４に対応することができる。
【００５９】
[0067]  処理システムは、ソフトウェアを記憶するための非一時的機械可読媒体をも含むことができる。ソフトウェアは、ソフトウェア、ファームウェア、ミドルウェア、マイクロコード、ハードウェア記述言語等の名称にかかわらず、任意のタイプの命令を意味すると広く解釈されたい。命令は、（例えば、ソースコード形式、バイナリコード形式、実行可能コード形式、またはコードの任意の他の好適な形式の）コードを含むことができる。命令は、１つまたは複数のプロセッサによって実行されたとき、本明細書で説明する様々な機能を処理システムに実行させる。
【００６０】
[0068]  ワイヤレスデバイス２０２はまた、ワイヤレスデバイス２０２と遠隔ロケーションとの間のデータの送信および受信を可能にするために、送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、例えば、多入力多出力（ＭＩＭＯ）通信中に利用され得る、多数の送信機、多数の受信機、多数のトランシーバ、および／または多数のアンテナを含むことができる（図示せず）。
【００６１】
[0069]  ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様において、データユニットは物理レイヤデータユニット（ＰＰＤＵ）を含むことができる。いくつかの態様において、ＰＰＤＵはパケットと呼ばれる。
【００６２】
[0070]  ワイヤレスデバイス２０２は、いくつかの態様においてユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を伝達し、および／またはユーザからの入力を受信する、任意の要素または構成要素を含むことができる。
【００６３】
[0071]  ワイヤレスデバイス２０２の様々な構成要素は、バスシステム２２６によって互いに結合され得る。バスシステム２２６は、例えば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは提供し得ることを、当業者は諒解することができる。
【００６４】
[0072]  図２には、多数の別個の構成要素が例証されているが、構成要素のうちの１つまたは複数が組み合わせられるか、または共通にインプリメントされ得ることを、当業者は認識することができる。例えば、プロセッサ２０４は、プロセッサ２０４に関して上記で説明した機能をインプリメントするためだけでなく、信号検出器２１８および／またはＤＳＰ２２０に関して上記で説明した機能をインプリメントするためにも使用され得る。さらに、図２に示された構成要素の各々は、複数の別個の要素を使用してインプリメントされ得る。
【００６５】
[0073]  上記で論議したように、ワイヤレスデバイス２０２は、ＡＰ１０４またはＳＴＡ１０６Ａ〜１０６Ｄのうちの１つを含むことができ、通信を送信および／または受信するために使用され得る。ワイヤレスネットワークにおけるデバイス間で交換される通信は、パケットまたはフレームを含むことができるデータユニットを含むことができる。いくつかの態様において、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実行するために、およびデータを確実に配信するために、データフレームとともに使用され得る（例えば、データの受信を肯定応答すること、ＡＰのポーリング、エリアクリアリング動作、チャネル取得、キャリア検知維持機能等）。管理フレームは、（例えば、ワイヤレスネットワークに加わり、そのネットワークから離れる等のための）様々な監視機能のために使用され得る。
【００６６】
[0074]  図３に、８０２．１１システムのために利用可能なチャネルのためのチャネル割振りを示す。様々なＩＥＥＥ８０２．１１システムは、５ＭＨｚチャネル、１０ＭＨｚチャネル、２０ＭＨｚチャネル、４０ＭＨｚチャネル、８０ＭＨｚチャネル、および１６０ＭＨｚチャネル等、いくつかの異なるサイズのチャネルをサポートする。例えば、８０２．１１ａｃデバイスは、２０ＭＨｚチャネル、４０ＭＨｚチャネル、および８０ＭＨｚチャネル帯域幅の受信および送信をサポートすることができる。より大きいチャネルが、２つの隣接する、より小さいチャネルを含むことができる。例えば、８０ＭＨｚチャネルは２つの隣接する４０ＭＨｚチャネルを含むことができる。現在インプリメントされているＩＥＥＥ８０２．１１システムにおいて、２０ＭＨｚチャネルは、３１２．５ｋＨｚだけ互いから分離された、６４個のサブキャリアを含んでいる。これらのサブキャリアのうちの、より少ない数のサブキャリアが、データを運搬するために使用され得る。例えば、２０ＭＨｚチャネルは、−１〜−２８、および１〜２８の番号を付けられた送信サブキャリア、すなわち５６個のサブキャリアを含んでいることがある。これらのキャリアのうちのいくつかはまた、パイロット信号を送信するために使用され得る。
【００６７】
[0075]  図４および図５は、いくつかのＩＥＥＥ８０２．１１規格のためのデータパケットフォーマットを例証する。まず図４を参照すると、ＩＥＥＥ８０２．１１ａ、１１ｂ、および１１ｇのためのパケットフォーマットが例証されている。このフレームは、ショートトレーニングフィールド４２２と、ロングトレーニングフィールド４２４と、信号フィールド４２６とを含む。トレーニングフィールドはデータを送信しないが、トレーニングフィールドは、データフィールド４２８中のデータを復号するためにＡＰと受信ＳＴＡとの間の同期を可能にする。
【００６８】
[0076]  信号フィールド４２６は、配信されているパケットの性質に関する情報をＡＰからＳＴＡに配信する。ＩＥＥＥ８０２．１１ａ／ｂ／ｇデバイスにおいて、この信号フィールドは、２４ビットの長さを有し、２位相シフトキーイング（ＢＰＳＫ）変調および１／２のコードレートを使用して、６Ｍｂ／ｓのレートで単一のＯＦＤＭシンボルとして送信される。信号（ＳＩＧ）フィールド４２６中の情報は、パケット中のデータの変調方式（例えば、ＢＰＳＫ、１６ＱＡＭ、６４ＱＡＭ等）を記述する４ビットと、パケット長のための１２ビットとを含む。この情報は、パケットがＳＴＡに向けられているとき、そのパケット中のデータを復号するためにＳＴＡによって使用される。パケットが特定のＳＴＡに向けられていないとき、ＳＴＡは、ＳＩＧシンボル４２６の長さフィールド中で定義された時間期間中の、いずれの通信試行をも延期することができ、電力を節約するために、約５．５ミリ秒までのパケット期間中に、スリープモードに入ることができる。
【００６９】
[0077]  ＩＥＥＥ８０２．１１に特徴が追加されたので、追加の情報をＳＴＡに提供するために、データパケット中のＳＩＧフィールドのフォーマットに対する変更が開発された。図５に、ＩＥＥＥ８０２．１１ｎパケットのためのパケット構造を示す。ＩＥＥＥ８０２．１１規格への１１ｎの追加は、ＩＥＥＥ８０２．１１互換デバイスにＭＩＭＯ機能を追加した。ＩＥＥＥ８０２．１１ａ／ｂ／ｇデバイスとＩＥＥＥ８０２．１１ｎデバイスの両方を含んでいるシステムに後方互換性を提供するために、ＩＥＥＥ８０２．１１ｎシステムのためのデータパケットは、それらが「レガシー」フィールドであることを示すためのプレフィックスＬとともに、Ｌ−ＳＴＦ４２２、Ｌ−ＬＴＦ４２４、およびＬ−ＳＩＧ４２６として知られる、これらの早期のシステムのＳＴＦフィールド、ＬＴＦフィールド、およびＳＩＧフィールドをも含む。ＩＥＥＥ８０２．１１ｎ環境において必要な情報をＳＴＡに提供するために、２つの追加の信号シンボル４４０および４４２がＩＥＥＥ８０２．１１ｎデータパケットに追加された。しかしながら、ＳＩＧフィールドおよびＬ−ＳＩＧフィールド４２６とは対照的に、これらの信号フィールドは（ＱＢＰＳＫ変調とも呼ばれる）回転ＢＰＳＫ変調を使用した。ＩＥＥＥ８０２．１１ａ／ｂ／ｇと動作するように構成されたレガシーデバイスがそのようなパケットを受信するとき、そのレガシーデバイスは、通常の１１／ｂ／ｇパケットとして、Ｌ−ＳＩＧフィールド４２６を受信および復号することができる。しかしながら、デバイスが追加のビットを復号し続けると、それらのビットは、Ｌ−ＳＩＧフィールド４２６の後のデータパケットのフォーマットが１１／ｂ／ｇパケットのフォーマットとは異なるので、正常に復号されないことがあり、このプロセス中にそのデバイスによって実行される巡回冗長検査（ＣＲＣ）検査は失敗することがある。これにより、これらのレガシーデバイスは、そのパケットの処理を停止するが、当初復号されたＬ−ＳＩＧ中の長さフィールドによって定義された時間期間が経過するまで、いずれのさらなる動作をも依然として延期する。対照的に、ＩＥＥＥ８０２．１１ｎとの互換性がある新しいデバイスは、ＨＴ−ＳＩＧフィールドにおける回転変調を検知し、そのパケットを８０２．１１ｎパケットとして処理することになる。さらに、１１ｎデバイスが、Ｌ−ＳＩＧ４２６に続くシンボル中でＱＢＰＳＫ以外の何らかの変調を検知した場合、１１ｎデバイスは１１／ｂ／ｇパケットとしてそのパケットを無視することができるので、１１ｎデバイスはパケットが１１／ｂ／ｇデバイスに向けられていることを見分けることができる。ＨＴ−ＳＩＧ１およびＳＩＧ２シンボルの後に、ＭＩＭＯ通信に好適な追加のトレーニングフィールドが提供され、データ４２８が次に続く。
【００７０】
[0078]  図６は、ＩＥＥＥ８０２．１１ファミリーにマルチユーザＭＩＭＯ機能を追加した、ＩＥＥＥ８０２．１１ａｃ規格のためのフレームフォーマットを例証する。ＩＥＥＥ８０２．１１ｎと同様に、８０２．１１ａｃフレームは、同じレガシーショートトレーニングフィールド（Ｌ−ＳＴＦ）４２２とレガシーロングトレーニングフィールド（Ｌ−ＬＴＦ）４２４とを含んでいる。８０２．１１ａｃフレームはまた、上記で説明したレガシー信号フィールドＬ−ＳＩＧ４２６を含んでいる。
【００７１】
[0079]  次に、８０２．１１ａｃフレームは、長さが２シンボルの超高スループット信号（ＶＨＴ−ＳＩＧ−Ａ１  ４５０およびＡ２  ４５２）フィールドを含む。この信号フィールドは、１１／ｂ／ｇデバイスおよび１１ｎデバイス中に存在しない１１ａｃ特徴に関する追加の構成情報を提供する。ＶＨＴ−ＳＩＧ−Ａの第１のＯＦＤＭシンボル４５０は、パケットをリッスンする任意の８０２．１１ｎデバイスが、パケットが８０２．１１ａパケットであると考えることができ、Ｌ−ＳＩＧ４２６の長さフィールドにおいて定義されているパケット長の持続時間の間、パケットに対して延期することができるように、ＢＰＳＫを使用して変調され得る。１１／ｇに従って構成されたデバイスは、Ｌ−ＳＩＧ４２６フィールドに続くサービスフィールドおよび媒体アクセス制御（ＭＡＣ）ヘッダを予想していることがある。それらのデバイスがこれを復号することを試みるとき、１１ｎパケットが１１ａ／ｂ／ｇデバイスによって受信されたときの手順と同様の様式でＣＲＣ失敗が発生することがあり、１１／ｂ／ｇデバイスはまた、Ｌ−ＳＩＧフィールド４２６において定義された期間の間延期することがある。ＶＨＴ−ＳＩＧ−Ａの第２のシンボル４５２は９０度回転されたＢＰＳＫで変調される。この回転された第２のシンボルは、８０２．１１ａｃデバイスがそのパケットを８０２．１１ａｃパケットとして識別することを可能にする。ＶＨＴ−ＳＩＧＡ１  ４５０およびＡ２  ４５２フィールドは、帯域幅モードに関する情報、単一ユーザの場合の変調およびコーディング方式（ＭＣＳ）に関する情報、時空間ストリームの数（ＮＳＴＳ）に関する情報、および他の情報を含んでいる。ＶＨＴ−ＳＩＧＡ１  ４５０およびＡ２  ４５２はまた、「１」に設定された、いくつかの予約済みビットを含んでいることがある。レガシーフィールドならびにＶＨＴ−ＳＩＧＡ１およびＡ２フィールドは、利用可能な帯域幅の各２０ＭＨｚ上で複製され得る。本明細書で説明するように、複製は、厳密なコピーを行うこと、または厳密なコピーであることを意味するように構築され得るが、フィールド等が複製されたとき、いくつかの差が存在し得る。
【００７２】
[0080]  ＶＨＴ−ＳＩＧ−Ａの後に、８０２．１１ａｃパケットは、多入力多出力（ＭＩＭＯ）送信における自動利得制御推定を改善するように構成されたＶＨＴ−ＳＴＦを含んでいることがある。８０２．１１ａｃパケットの次の１〜８つのフィールドはＶＨＴ−ＬＴＦであることがある。これらは、ＭＩＭＯチャネルを推定し、次いで、受信信号を等化するために使用され得る。送られるＶＨＴ−ＬＴＦの数は、ユーザごとの空間ストリームの数よりも大きいかまたはそれに等しいことがある。最終的に、データフィールドの前のプリアンブル中の最後のフィールドはＶＨＴ−ＳＩＧ−Ｂ４５４である。このフィールドはＢＰＳＫ変調され、パケット中の有用なデータの長さに関する情報を提供し、マルチユーザ（ＭＵ）ＭＩＭＯパケットのケースにおいて、ＭＣＳを提供する。シングルユーザ（ＳＵ）のケースにおいて、このＭＣＳ情報は、代わりに、ＶＨＴ−ＳＩＧＡ２中に含まれている。ＶＨＴ−ＳＩＧ−Ｂに続いて、データシンボルが送信される。
【００７３】
[0081]  ８０２．１１ａｃは様々な新しい特徴を８０２．１１ファミリーに導入し、１１／ｇ／ｎデバイスとの後方互換性があったプリアンブル設計を持つデータパケットを含み、また、１１ａｃの新しい特徴をインプリメントするのに必要な情報を提供したが、多元接続のためのＯＦＤＭＡトーン割振りのための構成情報は１１ａｃデータパケット設計によって提供されない。ＩＥＥＥ８０２．１１、またはＯＦＤＭサブキャリアを使用する任意の他のワイヤレスネットワークプロトコルの任意の将来のバージョンにおいて、そのような特徴をインプリメントするために新しいプリアンブル構成が望まれる。
【００７４】
[0082]  図７は、後方互換多元接続ワイヤレス通信を可能にするために使用され得る物理レイヤパケットの例示的な構造を例証する。この例となる物理レイヤパケットには、Ｌ−ＳＴＦ４２２と、Ｌ−ＬＴＦ４２６と、Ｌ−ＳＩＧ４２６とを含むレガシープリアンブルが含まれる。様々な実施形態において、Ｌ−ＳＴＦ４２２、Ｌ−ＬＴＦ４２６、およびＬ−ＳＩＧ４２６の各々は、２０ＭＨｚを使用して送信され得、複数のコピーが、ＡＰ１０４（図１）が使用する２０ＭＨｚのスペクトルごとに送信され得る。当業者は、図示された物理レイヤパケットが追加のフィールドを含むことができること、フィールドが並べ替えられ、除去され、および／またはリサイズされ得ること、ならびにフィールドの内容が変更され得ることを諒解することができる。このパケットはまた、ＨＥ−ＳＩＧ０シンボル４５５と、（長さが可変であり得る）１つまたは複数のＨＥ−ＳＩＧ１Ａシンボル４５７と、（図４のＶＨＴ−ＳＩＧ１Ｂフィールド４５４に類似することがある）随意のＨＥ−ＳＩＧ１Ｂシンボル４５９とを含んでいる。様々な実施形態において、これらのフィールドの構造は、ＩＥＥＥ８０２．１１ａ／ｂ／ｇ／ｎ／ａｃデバイスとの後方互換性があることがあり、パケットがＨＥパケットであることをＯＦＤＭＡ  ＨＥデバイスにシグナリングすることもある。ＩＥＥＥ８０２．１１ａ／ｂ／ｇ／ｎ／ａｃデバイスとの後方互換性があるように、これらのシンボルの各々に関して適切な変調が使用され得る。いくつかのインプリメンテーションにおいて、ＨＥ−ＳＩＧ０フィールド４５５はＢＰＳＫ変調で変調され得る。これは、同じくそれらの第１のＳＩＧシンボルをＢＰＳＫ変調させた８０２．１１ａｃパケットの現在の事例と同じ影響を、８０２．１１ａ／ｂ／ｇ／ｎデバイスに対して有することがある。これらのデバイスについて、後続のＨＥ−ＳＩＧシンボル４５７に対する変調が何であるかは問題ではない。様々な実施形態において、ＨＥ−ＳＩＧ０フィールド４５５は、多数のチャネルにわたって変調され、繰り返され得る。
【００７５】
[0083]  様々な実施形態において、ＨＥ−ＳＩＧ１Ａフィールド４５７は、ＢＰＳＫまたはＱＢＰＳＫ変調され得る。ＢＰＳＫ変調された場合、１１ａｃデバイスは、そのパケットが８０２．１１ａ／ｂ／ｇパケットであると仮定することができ、そのパケットを処理することを停止することができ、Ｌ−ＳＩＧ４２６の長さフィールドによって定義された時間の間、延期することができる。ＱＢＰＳＫ変調された場合、８０２．１１ａｃデバイスは、プリアンブル処理中にＣＲＣエラーを生成することがあり、また、そのパケットを処理することを停止することができ、Ｌ−ＳＩＧの長さフィールドによって定義された時間の間、延期することができる。これがＨＥパケットであることをＨＥデバイスにシグナリングするために、ＨＥ−ＳＩＧ１Ａ４５７の少なくとも第１のシンボルがＱＢＰＳＫ変調され得る。
【００７６】
[0084]  ＯＦＤＭＡ多元接続通信を確立するために必要な情報は、ＨＥ−ＳＩＧフィールド４５５、４５７、および４５９中で種々の位置に配置され得る。様々な実施形態において、ＨＥ−ＳＩＧ０  ４５５は、持続時間指示と、（例えば、２ビットであり得る）帯域幅指示と、（例えば、３ビットであり得る）ＢＳＳカラーＩＤと、（例えば、１ビットフラグであり得る）ＵＬ／ＤＬ指示と、（例えば、４ビットであり得る）ＣＲＣと、（例えば、２ビットであり得る）クリアチャネルアセスメント（ＣＣＡ）指示とのうちの１つまたは複数を含むことができる。
【００７７】
[0085]  様々な実施形態において、ＨＥ−ＳＩＧ１フィールド４５７は、ＯＦＤＭＡ動作のためのトーン割振り情報を含むことができる。図７の例は、４人の異なるユーザに、トーンの特定のサブバンドと、特定の数のＭＩＭＯ時空間ストリームとがそれぞれ割り当てられることを可能にすることができる。様々な実施形態において、１２ビットの時空間ストリーム情報は、１〜８つのストリームが各々に割り当てられ得るように、４人のユーザの各々について３ビットを可能にする。１６ビットの変調タイプデータは、４人のユーザの各々について４ビットを可能にし、４人のユーザの各々への、１６個の異なる変調方式（１６ＱＡＭ、６４ＱＡＭ等）のうちのいずれか１つの割当てを可能にする。１２ビットのトーン割振りデータは、特定のサブバンドが４人のユーザの各々に割り当てられることを可能にする。
【００７８】
[0086]  （本明細書ではサブチャネルとも呼ぶ）サブバンド割振りのための１つの例となるＳＩＧフィールド方式は、４人のユーザの各々にサブバンドトーンを割り振るために、６ビットグループＩＤフィールドならびに１０ビットの情報を含む。パケットを配信するために使用される帯域幅は、何らかの数のＭＨｚの倍数単位でＳＴＡに割り振られ得る。例えば、帯域幅は、Ｂ  ＭＨｚの倍数単位でＳＴＡに割り振られ得る。Ｂの値は、１、２、５、１０、１５、または２０ＭＨｚ等の値であり得る。Ｂの値は、２ビット割振りグラニュラリティフィールド（granularity field）によって提供され得る。例えば、ＨＥ−ＳＩＧ１Ａ４５７は、４つの可能なＢの値を可能にする、１つの２ビットフィールドを含んでいることがある。例えば、Ｂの値は、割振りグラニュラリティフィールド中の０〜３の値に対応する、５、１０、１５、または２０ＭＨｚであり得る。いくつかの態様において、０からＮまでの数を定義するｋビットのフィールドが、Ｂの値をシグナリングするために使用され得、ここで、０は柔軟性が最も低いオプション（最大グラニュラリティ）を表し、Ｎの高い値は柔軟性が最も高いオプション（最小グラニュラリティ）を表す。各Ｂ  ＭＨｚ部分はサブバンドと呼ばれることがある。
【００７９】
[0087]  ＨＥ−ＳＩＧ１Ａ４５７はさらに、各ＳＴＡに割り振られるサブバンドの数を示すために、ユーザごとに２ビットを使用することができる。これは、０〜３つのサブバンドが各ユーザに割り振られることを可能にすることができる。ＯＦＤＭＡパケット中のデータを受信することができるＳＴＡを識別するために、グループｉｄ（Ｇ＿ＩＤ）が使用され得る。この６ビットＧ＿ＩＤは、この例において、特定の順序で、４つまでのＳＴＡを識別することができる。
【００８０】
[0088]  ＨＥ−ＳＩＧシンボルの後に送られるトレーニングフィールドおよびデータは、各ＳＴＡに割り振られたトーンに従ってＡＰによって配信され得る。この情報は、潜在的にビームフォーミングされ得る。この情報をビームフォーミングすることは、ビームフォーミングされない送信よりも、より正確な復号を可能にすること、および／またはより大きな範囲を提供することのような、いくつかの利点を有することができる。
【００８１】
[0089]  各ユーザに割り当てられた時空間ストリームに応じて、異なるユーザが異なる数のＨＥ−ＬＴＦ４６５を使用することができる。各ＳＴＡは、そのＳＴＡに関連付けられた各空間ストリームについてのチャネル推定を可能にする数のＨＥ−ＬＴＦ４６５を使用することができ、これは、一般に、空間ストリームの数に等しいかまたはそれよりも大きいことがある。ＬＴＦはまた、周波数オフセット推定および時間同期のために使用され得る。異なるＳＴＡが異なる数のＨＥ−ＬＴＦを受信することがあるので、あるトーン上にＨＥ−ＬＴＦ情報と、他のトーン上にデータとを含んでいるシンボルがＡＰ１０４（図１）から送信され得る。
【００８２】
[0090]  いくつかの態様において、同じＯＦＤＭシンボル上でＨＥ−ＬＴＦ情報とデータの両方を送ることは問題があることがある。例えば、これはピーク対平均電力比（ＰＡＰＲ）をあまりに高いレベルに増加させることがある。よって、代わりに、各ＳＴＡが少なくとも必要とされる数のＨＥ−ＬＴＦ４６５を受信するまで、送信されるシンボルのすべてのトーン上でＨＥ−ＬＴＦ４６５を送信することは有益であり得る。例えば、各ＳＴＡは、ＳＴＡに関連付けられた空間ストリームごとに１つのＨＥ−ＬＴＦ４６５を受信する必要があることがある。よって、ＡＰは、何らかのＳＴＡに割り当てられた空間ストリームの最大数に等しい数のＨＥ−ＬＴＦ４６５を各ＳＴＡに送信するように構成され得る。例えば、３つのＳＴＡに単一の空間ストリームが割り当てられたが、第４のＳＴＡには３つの空間ストリームが割り当てられた場合、この態様において、ＡＰは、ペイロードデータを含んでいるシンボルを送信する前に、ＨＥ−ＬＴＦ情報の４つのシンボルを４つのＳＴＡの各々に送信するように構成され得る。
【００８３】
[0091]  何らかの所与のＳＴＡに割り当てられたトーンが隣接することは必要でない。例えば、いくつかのインプリメンテーションにおいて、異なる受信ＳＴＡのサブバンドはインターリーブされ得る。例えば、ユーザ１およびユーザ２の各々は３つのサブバンドを受信するが、ユーザ４は２つのサブバンドを受信する場合、これらのサブバンドはＡＰ帯域幅全体にわたってインターリーブされ得る。例えば、これらのサブバンドは、１、２、４、１、２、４、１、２等の順序でインターリーブされ得る。いくつかの態様において、サブバンドをインターリーブする他の方法が使用され得る。いくつかの態様において、サブバンドをインターリーブすることは、干渉の悪影響または特定のサブバンド上の特定のデバイスからの受信不良の影響を低減することができる。いくつかの態様において、ＡＰは、ＳＴＡが選好するサブバンド上でＳＴＡに送信することができる。例えば、いくつかのＳＴＡは、他のサブバンド中でよりも、いくつかのサブバンド中でより良好な受信を有することがある。よって、ＡＰは、ＳＴＡがどのサブバンド上でより良好な受信を有することができるかに少なくとも部分的に基づいて、ＳＴＡに送信することができる。いくつかの態様において、サブバンドはまた、インターリーブされないこともある。例えば、サブバンドは、代わりに、１、１、１、２、２、２、４、４として送信され得る。いくつかの態様において、サブバンドがインターリーブされるか否かはあらかじめ定義され得る。
【００８４】
[0092]  図７の例において、パケットがＨＥパケットであることをＨＥデバイスにシグナリングするために、ＨＥ−ＳＩＧ０  ４５５シンボル変調が使用され得る。パケットがＨＥパケットであることをＨＥデバイスにシグナリングする他の方法も使用され得る。図７の例において、Ｌ−ＳＩＧ４２６は、ＨＥプリアンブルがレガシープリアンブルに続くことがあることをＨＥデバイスに指示する情報を含んでいることがある。例えば、Ｌ−ＳＩＧ４２６は、Ｌ−ＳＩＧ４２６中のＱ信号に敏感であるＨＥデバイスに対して、後続のＨＥプリアンブルの存在を示す、低エネルギーの１ビットコードをＱレール上に含んでいることがある。単一ビット信号が、パケットを送信するためにＡＰによって使用されるすべてのトーンにわたって拡散され得るので、極めて低い振幅のＱ信号が使用され得る。このコードは、ＨＥプリアンブル／パケットの存在を検出するために高効率デバイスによって使用され得る。レガシーデバイスのＬ−ＳＩＧ４２６検出感度は、Ｑレール上のこの低エネルギーコードによって著しく影響を及ぼされる必要がない。よって、これらのデバイスは、Ｌ−ＳＩＧ４２６を読み取ることが可能であり、コードの存在に気づかないことがあるが、ＨＥデバイスはコードの存在を検出することが可能であり得る。このインプリメンテーションにおいて、所望される場合、ＨＥ−ＳＩＧフィールドのすべてがＢＰＳＫ変調され得、このＬ−ＳＩＧシグナリングとともに、レガシー互換性に関して本明細書で説明する技法のいずれかが使用され得る。
【００８５】
[0093]  様々な実施形態において、任意のＨＥ−ＳＩＧフィールド４５５〜４５９が、多重化されたユーザごとのユーザ固有変調タイプを定義するビットを含んでいることがある。例えば、随意のＨＥ−ＳＩＧ１Ｂ４５９フィールドが、多重化されたユーザごとのユーザ固有変調タイプを定義するビットを含んでいることがある。
【００８６】
[0094]  いくつかの態様において、例えば８０２．１１ａｘプロトコル従って、ワイヤレス信号が低レート（ＬＲ）モードで送信され得る。詳細には、いくつかの実施形態において、ＡＰ１０４は、ＳＴＡ１０６と比較して、より大きい送信電力能力を有することがある。いくつかの実施形態において、例えば、ＳＴＡ１０６は、ＡＰ１０４よりも数ｄＢ低いｄＢにおいて送信することができる。したがって、ＡＰ１０４からＳＴＡ１０６へのＤＬ通信は、ＳＴＡ１０６からＡＰ１０４へのＵＬ通信よりも広い範囲を有することができる。リンクバジェットを閉じるために、ＬＲモードが使用され得る。いくつかの実施形態において、ＬＲモードは、ＤＬ通信とＵＬ通信の両方において使用され得る。他の実施態様において、ＬＲモードは、ＵＬ通信のためにのみ使用される。
【００８７】
[0095]  いくつかの実施形態において、ＨＥＷ  ＳＴＡ１０６は、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。例えば、様々な実施形態において、１ｘシンボル持続時間は４ｍｓであり得、４ｘシンボル持続時間は１６ｍｓであり得る。よって、様々な実施形態において、１ｘシンボルは本明細書ではレガシーシンボルと呼ばれることがあり、４ｘシンボルはＨＥＷシンボルと呼ばれることがある。他の実施形態において、異なる持続時間が可能である。
【００８８】
[0096]  いくつかの実施形態において、レガシーデバイスは、３で均等に割り切れる長さフィールドを有するＬ−ＳＩＧフィールドに制約され得る。例えば、再び図６を参照すると、Ｌ−ＳＩＧ４２６は、３で均等に割り切れる長さフィールドを含むことができ、それは３の倍数としても表され得るか、またはここにおいて、長さモジュロ３は０に等しい。いくつかの実施形態において、ＨＥＷデバイスは、ＨＥＷパケットを示すために、３で均等に割り切れない長さを有するＬ−ＳＩＧフィールドを使用することができる。例えば、長さ指示、モジュロ３は、１または２に等しくなり得る。様々な実施形態において、Ｌ−ＳＩＧ長さ指示のモジュラスは、１つまたは複数の後のシンボルのためのガードインターバル（ＧＩ：guard interval）モード、またはＨＥ−ＬＴＦ圧縮モードのうちの１つまたは複数を示すことができる。
【００８９】
[0097]  図８は、ワイヤレス通信を可能にするために使用され得るアップリンクまたはダウンリンク物理レイヤパケット８００の例示的な構造を例証する。例証された実施形態において、物理レイヤパケット８００は、Ｌ−ＳＴＦ４２２、Ｌ−ＬＴＦ４２６、およびＬ−ＳＩＧ８０５を含むレガシープリアンブルと、ＨＥ−ＳＩＧ０  ８１５およびＨＥ−ＳＩＧ１  ８２０を含むＨＥプリアンブル８１０と、ペイロード８３０とを含む。当業者は、例証された物理レイヤパケット８００が追加のフィールドを含むことができること、フィールドが並べ替えられ、除去され、および／またはリサイズされ得ること、ならびにフィールドの内容が変更され得ることを諒解されよう。例えば、様々な実施形態において、ＨＥプリアンブル８１０は、ＨＥ−ＳＴＦ、ＨＥ−ＬＴＦ、１つまたは複数の追加のＨＥ−ＳＩＧ１フィールド、１つまたは複数の繰り返されたフィールド等のうちの１つまたは複数をさらに含むことができる。
【００９０】
[0098]  本開示のある態様は、同じＰＰＤＵにおける周波数領域においてＭＵ−ＭＩＭＯ技法とＯＦＤＭＡ技法とを混合することをサポートする。いくつかの実施形態において、ＰＰＤＵ帯域幅の第１の部分が、少なくともＭＵ−ＭＩＭＯ送信およびＯＦＤＭＡ送信のうちの１つとして送信され得る。ＰＰＤＵ帯域幅の第２の部分が、少なくともＭＵ−ＭＩＭＯ送信およびＯＦＤＭＡ送信のうちの１つとして送信され得る。様々な実施形態において、各部分は「ゾーン」と呼ばれることがある。よって、様々な実施形態において、第１および第２の部分は、ＭＵ−ＭＩＭＯ／ＯＦＤＭＡ、ＭＵ−ＭＩＭＯ／ＭＵ−ＭＩＭＯ、ＯＦＤＭＡ／ＯＦＤＭＡ、およびＯＦＤＭＡ／ＯＦＤＭＡ等、任意の組合せを含むことができる。
【００９１】
[0099]  いくつかの実施形態において、ＰＰＤＵ帯域幅は、３つ以上の部分またはゾーンを含むことができる。いくつかの実施形態において、ＰＰＤＵ帯域幅は、単一のゾーンまたは最大２つのゾーンに限定され得る。これらの実施形態において、ＭＵ−ＭＩＭＯ送信またはＯＦＤＭＡ送信は、ＡＰから多数のＳＴＡに同時に送られることがあり、ワイヤレス通信における効率をもたらすことができる。
【００９２】
[00100]  様々な実施形態において、Ｌ−ＳＴＦ４２２、Ｌ−ＬＴＦ４２６、およびＬ−ＳＩＧ４２６の各々は、２０ＭＨｚを使用して送信され得、多数のコピーが、ＡＰ１０４（図１）が使用する２０ＭＨｚのスペクトルごとに送信され得る。ＨＥ−ＳＩＧ０  ８１５、ＨＥ−ＳＴＦ８２０、ＨＥ−ＳＴＦ、ＨＥ−ＬＴＦ、ＨＥ−ＳＩＧ１  ８２０、およびペイロード８３０の任意の組合せが、１人または複数のＯＦＤＭＡユーザの各々のために送信され得る。例えば、２人のユーザは、例証された４０ＭＨｚ帯域幅を共有することができ、４０ＭＨｚ帯域幅の一部分は割り当てられないことがある。
【００９３】
[00101]  パケット８００は本明細書では単一のパケットと呼ばれるが、様々な実施形態において、各ゾーンに関連付けられた送信、または代替的に各ユーザに関連付けられた送信は、別個のパケットと呼ばれることがある。パケット８００はＵＬおよびＤＬ送信のために使用され得るが、本明細書ではＵＬ送信についてより詳細に説明する。当業者は、ＳＴＡ１０６からＡＰ１０４へのＵＬ送信に関係する説明が、ＡＰ１０４からＳＴＡ１０６へのＤＬ送信にも適用され得ることを諒解されよう。
【００９４】
[00102]  例証された実施形態において、パケット８００は、１ｘシンボル持続時間を使用する。他の実施形態において、４ｘシンボル持続時間は、例えば、ＨＥプリアンブル８１０および／またはペイロード８３０の任意の部分のような、パケット８００の少なくとも一部分のために使用され得る。例証された実施形態において、Ｌ−ＳＴＦ４２２は８μｓ（すなわち、２つの１ｘシンボル）長であり、Ｌ−ＬＴＦ４２４は８μｓ（すなわち、２つの１ｘシンボル）長であり、Ｌ−ＳＩＧ４２６は４μｓ（すなわち、１つの１ｘシンボル）長であり、ＨＥ−ＳＩＧ０  ８１５は４μｓ（すなわち、１つの１ｘシンボル）長であり、ＨＥ−ＳＩＧ１  ８２０は４μｓ（すなわち、１つの１ｘシンボル）長である。様々な実施形態において、ＨＥ−ＳＴＦは４μｓ（すなわち、１つの１ｘシンボル）長から８μｓ（すなわち、２つの１ｘシンボル）長までであり得、ＨＥ−ＬＴＦは、ペイロード８３０の送信のために使用される空間ストリームの数（ＮＳＳ）に依存し得る可変長であり得る。
【００９５】
Ｌ−ＳＩＧ長さフィールド
[00103]  いくつかの実施形態において、Ｌ−ＳＩＧフィールド８０５は長さ指示を含むことができる。上記で論議したように、ＨＥＷデバイスは、パケット８００がＨＥＷパケットであることを示すために、Ｌ−ＳＩＧ８０５長さ指示を、３で均等に割り切れない値に設定することができる。例えば、Ｌ−ＳＩＧ８０５長さ指示は、（本明細書では「ＬＭ３」と呼ぶ）長さ、モジュロ３が１または２に等しくなるように設定され得る。いくつかの実施形態において、ＳＴＡ１０６またはＡＰ１０４のようなＨＥＷデバイスは、Ｌ−ＳＩＧ８０５長さ指示に一致するように、パケット８００をパディングするか、または、さもなければパケットの長さを調整することができる。
【００９６】
[00104]  一実施形態において、Ｌ−ＳＩＧ８０５長さ指示、モジュロ３の値は、１つまたは複数の後のシンボルのためのガードインターバル（ＧＩ）モードを示すことができる。例えば、一実施形態において、ＡＰ１０４は、後続のシンボルが通常ガードインターバル（例えば、０．８μｓ）を使用することになることを示すために、ＬＭ３を１に設定することができる。ＡＰ１０４は、後続のシンボルがロングガードインターバル（例えば、１．６μｓ）を使用することになることを示すために、ＬＭ３を２に設定することができる。
【００９７】
[00105]  他の実施形態において、反対が真であり得る。よって、ＡＰ１０４は、後続のシンボルが通常ガードインターバル（例えば、０．８μｓ）を使用することになることを示すために、ＬＭ３を２に設定することができる。ＡＰ１０４は、後続のシンボルがロングガードインターバル（例えば、１．６μｓ）を使用することになることを示すために、ＬＭ３を１に設定することができる。
【００９８】
[00106]  他の実施形態において、ＬＭ３は、３つの異なるガードインターバル、例えば、ショートガードインターバル、ミディアムガードインターバル、およびロングガードインターバルのうちの１つを示すことができる（ここにおいて、ショートガードインターバルは通常ガードインターバルよりも短く、通常ガードインターバルはロングガードインターバルよりも短い）。ショートガードインターバル指示、ミディアムガードインターバル指示、および／またはロングガードインターバル指示は、プリセットされたまたは動的に決定されたガードインターバル長さに対応することができる。一例として、ＬＭ３＝０はショートガードインターバル長さ（例えば、０．４μｓ）を示すことができ、ＬＭ３＝１は通常ガードインターバル長さ（例えば、０．８μｓ）を示すことができ、ＬＭ３＝２はロングガードインターバル長さ（例えば、１．６μｓ）を示すことができる。そのような例は例証的なものにすぎないが、ＬＭ３からガードインターバル指示への任意のマッピングが使用され得る。
【００９９】
[00107]  様々な実施形態において、ＬＭ３を介して示されるＧＩモードは、Ｌ−ＳＩＧ８０５の直後に開始することができる。例えば、ＬＭ３を介して示されるＧＩモードは、ＨＥ−ＳＩＧ０フィールド８１５において開始することができる。いくつかの実施形態において、ＬＭ３を介して示されるＧＩモードは、例えば、Ｌ−ＳＩＧ８０５後の１つのシンボル後からのような、Ｌ−ＳＩＧ８０５後のプリセットされた数のシンボル後から開始することができる。ＧＩモードを、例えば、Ｌ−ＳＩＧ８０５後の１つのシンボル後からに設定することは、ハードウェアバタフライが新しいＧＩモードに適応することを可能にすることができる。よって、いくつかの実施形態において、ＬＭ３を介して示されるＧＩモードは、ＨＥ−ＳＩＧ１フィールド８２０において開始することができる。
【０１００】
[00108]  いくつかの実施形態において、例えば、ＨＥ−ＳＩＧ０フィールド８１５またはＨＥ−ＳＩＧ１フィールド８２０のような、１つまたは複数の後続のフィールドは、時間または周波数サブキャリア（トーン）において繰り返され得る。ＬＭ３は、特定の後続のフィールドがパケット８００中で繰り返されるか否かを示すことができる。例えば、ＬＭ３＝１は、ＨＥ−ＳＩＧ０フィールド８１５が繰り返されないことを示すことができ、ＬＭ３＝２は、ＨＥ−ＳＩＧ０フィールド８１５が繰り返されることを示すことができる（または、他の実施形態において、その逆も同様である）。ＬＭ３は、３つの繰り返しオプションのうちの１つを示すことができる。例えば、ＬＭ３＝０は、後続のフィールドが繰り返されないことを示すことができ、ＬＭ３＝１は、ＨＥ−ＳＩＧ０フィールド８１５が繰り返されることを示すことができ、ＬＭ３＝２は、ＨＥ−ＳＩＧ１フィールド８２０が繰り返されることを示すことができる。
【０１０１】
[00109]  いくつかの実施形態において、ＬＭ３は、ＨＥ−ＳＩＧ０  ８１５および／またはＨＥ−ＳＩＧ１  ８２０のための特定のＭＣＳを示すことができる。例えば、ＬＭ３＝１は、１つまたは複数の後続のシンボルがＭＣＳ０を使用することを示すことができ、ＬＭ３＝２は、後続のシンボルがＭＣＳ１を使用することを示すことができる（または、他の実施形態において、その逆も同様である）。ＬＭ３は、３つのＭＣＳオプションのうちの１つを示すことができる。例えば、ＬＭ３＝０は、後続のフィールドがＭＣＳ０を使用することを示すことができ、ＬＭ３＝１は、いくつかの後続のシンボルがＭＣＳ１を使用することを示すことができ、ＬＭ３＝２は、いくつかの後続のフィールドがＭＣＳ２を使用することを示すことができる。上記の例は例証的であるが、異なるＬＭ３値が、任意の特定のプリセットされたまたは動的に決定されたＭＣＳに対応することができる。
【０１０２】
[00110]  いくつかの実施形態において、１つまたは複数の後続のシンボルは、随意に、より低い信号対干渉プラス雑音比（ＳＩＮＲ：signal-to-interference-plus-noise ratio）をサポートすることができる。より低いＳＩＮＲは、パケット８００中の他のシンボルのＳＩＮＲよりも低くなり得る。ＬＭ３は、いくつかの後続のシンボルがより低いＳＩＮＲをサポートするか否かを示すことができる。例えば、ＬＭ３＝１は、１つまたは複数の後続のシンボルがより低いＳＩＮＲをサポートすることを示すことができ、ＬＭ３＝２は、後続のシンボルがより低いＳＩＮＲをサポートしないことを示すことができる（または、他の実施形態において、その逆も同様である）。ＬＭ３は、３つのＳＩＮＲサポートオプションのうちの１つを示すことができる。例えば、ＬＭ３＝０は、後続のフィールドがより低いＳＩＮＲをサポートしないことを示すことができ、ＬＭ３＝１は、いくつかの後続のフィールドがより低いＳＩＮＲをサポートすることを示すことができ、ＬＭ３＝２は、いくつかの後続のフィールドが３つ以上のＳＩＮＲオプションをサポートすることを示すことができる。
【０１０３】
[00111]  いくつかの実施形態において、１つまたは複数の後続のフィールドは、随意に、多数の圧縮モードをサポートすることができる。ＬＭ３は、いくつかの後続のシンボルがより低いＳＩＮＲをサポートするか否かを示すことができる。例えば、ＬＭ３＝１は、１つまたは複数の後続のフィールドが多数の圧縮モードをサポートすることを示すことができ、ＬＭ３＝２は、後続のフィールドが多数の圧縮モードをサポートしないことを示すことができる（または、他の実施形態において、その逆も同様である）。ＬＭ３は、例えば、ＨＥ−ＬＴＦフィールドのような、特定のフィールドのための圧縮モードを示すことができる。例えば、ＬＭ３＝１は、ＨＥ−ＬＴＦフィールドが第１の圧縮モードを使用することを示すことができ、ＬＭ３＝２は、ＨＥ−ＬＴＦフィールドが第１の圧縮モードを使用することを示すことができる（または、他の実施形態において、その逆も同様である）。ＬＭ３は、３つの圧縮モードオプションのうちの１つを示すことができる。例えば、ＬＭ３＝０は、ＨＥ−ＬＴＦフィールドが第１の圧縮モードを使用することを示すことができ、ＬＭ３＝１は、ＨＥ−ＬＴＦフィールドが第２の圧縮モードを使用することを示すことができ、ＬＭ３＝２は、ＨＥ−ＬＴＦフィールドが第３の圧縮モードを使用することを示すことができる。
【０１０４】
[00112]  図９は、ワイヤレス通信を可能にするために使用され得るアップリンクまたはダウンリンク物理レイヤパケット９００の別の例示的な構造を例証する。例証された実施形態において、物理レイヤパケット９００は、Ｌ−ＳＴＦ４２２、Ｌ−ＬＴＦ４２６、およびＬ−ＳＩＧ８０５を含むレガシープリアンブル８０５と、繰り返されたＬ−ＳＩＧ９１０と、ＨＥ−ＳＩＧ０  ８１５およびＨＥ−ＳＩＧ１  ８２０を含むＨＥプリアンブル８１０と、ペイロード８３０とを含む。当業者は、例証された物理レイヤパケット９００が追加のフィールドを含むことができること、フィールドが並べ替えられ、除去され、および／またはリサイズされ得ること、ならびにフィールドの内容が変更され得ることを諒解されよう。例えば、様々な実施形態において、ＨＥプリアンブル８１０は、ＨＥ−ＳＴＦ、ＨＥ−ＬＴＦ、１つまたは複数の追加のＨＥ−ＳＩＧ１フィールド、１つまたは複数の繰り返されたフィールド等のうちの１つまたは複数をさらに含むことができる。
【０１０５】
[00113]  本開示のいくつかの態様は、同じＰＰＤＵにおける周波数領域においてＭＵ−ＭＩＭＯ技法とＯＦＤＭＡ技法とを混合することをサポートする。いくつかの実施形態において、ＰＰＤＵ帯域幅の第１の部分が、少なくともＭＵ−ＭＩＭＯ送信およびＯＦＤＭＡ送信のうちの１つとして送信され得る。ＰＰＤＵ帯域幅の第２の部分が、少なくともＭＵ−ＭＩＭＯ送信およびＯＦＤＭＡ送信のうちの１つとして送信され得る。様々な実施形態において、各部分は「ゾーン」と呼ばれることがある。よって、様々な実施形態において、第１および第２の部分は、ＭＵ−ＭＩＭＯ／ＯＦＤＭＡ、ＭＵ−ＭＩＭＯ／ＭＵ−ＭＩＭＯ、ＯＦＤＭＡ／ＯＦＤＭＡ、およびＯＦＤＭＡ／ＯＦＤＭＡ等、任意の組合せを含むことができる。
【０１０６】
[00114]  いくつかの実施形態において、ＰＰＤＵ帯域幅は、３つ以上の部分またはゾーンを含むことができる。いくつかの実施形態において、ＰＰＤＵ帯域幅は、単一のゾーンまたは最大２つのゾーンに限定され得る。これらの実施形態において、ＭＵ−ＭＩＭＯ送信またはＯＦＤＭＡ送信は、ＡＰから多数のＳＴＡに同時に送られることがあり、ワイヤレス通信における効率をもたらすことができる。
【０１０７】
[00115]  様々な実施形態において、Ｌ−ＳＴＦ４２２、Ｌ−ＬＴＦ４２６、およびＬ−ＳＩＧ４２６の各々は、２０ＭＨｚを使用して送信され得、多数のコピーが、ＡＰ１０４（図１）が使用する２０ＭＨｚのスペクトルごとに送信され得る。ＨＥ−ＳＩＧ０  ８１５、ＨＥ−ＳＴＦ８２０、ＨＥ−ＳＴＦ、ＨＥ−ＬＴＦ、ＨＥ−ＳＩＧ１  ８２０、およびペイロード８３０の任意の組合せが、１人または複数のＯＦＤＭＡユーザの各々のために送信され得る。例えば、２人のユーザは、例証された４０ＭＨｚ帯域幅を共有することができ、４０ＭＨｚ帯域幅の一部分は割り当てられないことがある。
【０１０８】
[00116]  パケット９００は本明細書では単一のパケットと呼ばれるが、様々な実施形態において、各ゾーンに関連付けられた送信、または代替的に各ユーザに関連付けられた送信は、別個のパケットと呼ばれることがある。パケット９００はＵＬおよびＤＬ送信のために使用され得るが、本明細書ではＵＬ送信についてより詳細に説明する。当業者は、ＳＴＡ１０６からＡＰ１０４へのＵＬ送信に関係する説明が、ＡＰ１０４からＳＴＡ１０６へのＤＬ送信にも適用され得ることを諒解されよう。
【０１０９】
[00117]  例証された実施形態において、パケット９００は、１ｘシンボル持続時間を使用する。他の実施形態において、４ｘシンボル持続時間は、例えば、ＨＥプリアンブル８１０および／またはペイロード８３０の任意の部分のような、パケット９００の少なくとも一部分のために使用され得る。例証された実施形態において、Ｌ−ＳＴＦ４２２は８μｓ（すなわち、２つの１ｘシンボル）長であり、Ｌ−ＬＴＦ４２４は８μｓ（すなわち、２つの１ｘシンボル）長であり、Ｌ−ＳＩＧ４２６は４μｓ（すなわち、１つの１ｘシンボル）長であり、ＨＥ−ＳＩＧ０  ８１５は４μｓ（すなわち、１つの１ｘシンボル）長であり、ＨＥ−ＳＩＧ１  ８２０は４μｓ（すなわち、１つの１ｘシンボル）長である。様々な実施形態において、ＨＥ−ＳＴＦは４μｓ（すなわち、１つの１ｘシンボル）長から８μｓ（すなわち、２つの１ｘシンボル）長までであり得、ＨＥ−ＬＴＦは、ペイロード８３０の送信のために使用される空間ストリームの数（ＮＳＳ）に依存し得る可変長であり得る。
【０１１０】
[00118]  図９に指し示されているように、Ｌ−ＳＩＧフィールド８０５は、繰り返されたＬ−ＳＩＧフィールド９１０（ＲＬ−ＳＩＧ：repeated L-SIG）として繰り返される。様々な実施形態において、Ｌ−ＳＩＧフィールド８０５は、時間または周波数サブキャリア（トーン）において繰り返され得る。繰り返されたＬ−ＳＩＧフィールド９１０は、Ｌ−ＳＩＧフィールド８０５のものと同じ長さ指示を含むことができる。したがって、上記で説明したように、ＨＥＷデバイスは、パケット８００がＨＥＷパケットであることを示すために、繰り返されたＬ−ＳＩＧ９１０長さ指示を、３で均等に割り切れない値に設定することができる。
【０１１１】
[00119]  様々な実施形態において、ＬＭ３を介して示されるＧＩモードは、Ｌ−ＳＩＧ８０５の直後に開始することができる。例えば、ＬＭ３を介して示されるＧＩモードは、繰り返されたＬ−ＳＩＧ９１０において開始することができる。いくつかの実施形態において、ＬＭ３を介して示されるＧＩモードは、例えば、Ｌ−ＳＩＧ８０５後の１つのシンボル後からのような、Ｌ−ＳＩＧ８０５後のプリセットされた数のシンボル後から開始することができる。ＧＩモードを、例えば、Ｌ−ＳＩＧ８０５後の１つのシンボル後からに設定することは、ハードウェアバッファが新しいＧＩモードに適応することを可能にすることができる。したがって、いくつかの実施形態において、ＬＭ３を介して示されるＧＩモードは、ＨＥ−ＳＩＧ０フィールド８１５において開始することができる。他の実施形態において、ＬＭ３を介して示されるＧＩモードは、繰り返されたＬ−ＳＩＧ９１０直後に、または繰り返されたＬ−ＳＩＧ９１０後のプリセットされた数のシンボル（例えば、１つのシンボル）後から開始することができる。
【０１１２】
[00120]  例証された実施形態において、ＲＬ−ＳＩＧ９１０は、Ｌ−ＳＩＧフィールド８０５の全体または部分繰り返しを含む。例えば、一実施形態において、ＲＬ−ＳＩＧ９１０は、Ｌ−ＳＩＧフィールド８０５の偶数トーンの繰り返しを含むことができる。一実施形態において、ＲＬ−ＳＩＧ９１０は、Ｌ−ＳＩＧフィールド８０５の奇数トーンの繰り返しを含むことができる。一実施形態において、ＲＬ−ＳＩＧ９１０は、Ｌ−ＳＩＧフィールド８０５のＸ個のトーンごとの繰り返しを含むことができ、ここで、Ｘは、Ｌ−ＳＩＧフィールド８０５のためのシンボル持続時間とＲＬ−ＳＩＧ９１０のためのシンボル持続時間との比である。一実施形態において、ＨＥ−ＳＩＧ０  ８１５は、４μｓプラスガードインターバル（ＧＩ）である。
【０１１３】
[00121]  様々な実施形態において、ＳＴＡ１０６は、繰り返されたシンボルの極性中にＨＥ−ＳＩＧまたは他の情報を符号化することができる。例えば、１を符号化するために、ＳＴＡ１０６は、Ｌ−ＳＩＧフィールド８０５中の繰り返されたビットに−１を乗算することができ、０を符号化するために、ＳＴＡ１０６は、Ｌ−ＳＩＧフィールド８０５中の繰り返されたビットに１を乗算することができる、等である。様々な実施形態において、正および負の繰り返し極性は、それぞれ、０および１を表すことができる。他の実施形態において、異なる符号化が可能である。一実施形態において、情報ビット［０，１］が変調ビット［１，−１］になることに留意されたい。シンボルの極性を変更することは、［０，１］の代わりにシンボルに＋−１を乗算することを意味する。
【０１１４】
[00122]  一実施形態において、ＲＬ−ＳＩＧ９１０の極性は、１つまたは複数の後のシンボルのためのガードインターバル（ＧＩ）モードを示すことができる。例えば、一実施形態において、ＡＰ１０４は、後続のシンボルが通常ガードインターバル（例えば、０．８μｓ）を使用することになることを示すために、ＲＬ−ＳＩＧ９１０の極性を正に設定することができる。ＡＰ１０４は、後続のシンボルがロングガードインターバル（例えば、１．６μｓ）を使用することになることを示すために、ＲＬ−ＳＩＧ９１０の極性を負に設定することができる。
【０１１５】
[00123]  他の実施形態において、反対が真であり得る。よって、ＡＰ１０４は、後続のシンボルが通常ガードインターバル（例えば、０．８μｓ）を使用することになることを示すために、ＲＬ−ＳＩＧ９１０の極性を負に設定することができる。ＡＰ１０４は、後続のシンボルがロングガードインターバル（例えば、１．６μｓ）を使用することになることを示すために、ＲＬ−ＳＩＧ９１０の極性を正に設定することができる。
【０１１６】
[00124]  様々な実施形態において、ＲＬ−ＳＩＧ９１０の極性を介して示されるＧＩモードは、ＲＬ−ＳＩＧ９１０の直後に開始することができる。例えば、ＲＬ−ＳＩＧ９１０の極性を介して示されるＧＩモードは、ＨＥ−ＳＩＧ０フィールド８１５において開始することができる。いくつかの実施形態において、ＲＬ−ＳＩＧ９１０の極性を介して示されるＧＩモードは、例えば、ＲＬ−ＳＩＧ９１０後の１つのシンボル後からのような、ＲＬ−ＳＩＧ９１０後のプリセットされた数のシンボル後から開始することができる。ＧＩモードを、例えば、ＲＬ−ＳＩＧ９１０後の１つのシンボル後からに設定することは、ハードウェアバタフライが新しいＧＩモードに適応することを可能にすることができる。よって、いくつかの実施形態において、ＲＬ−ＳＩＧ９１０の極性を介して示されるＧＩモードは、ＨＥ−ＳＩＧ１フィールド８２０において開始することができる。
【０１１７】
[00125]  いくつかの実施形態において、例えば、ＨＥ−ＳＩＧ０フィールド８１５またはＨＥ−ＳＩＧ１フィールド８２０のような、１つまたは複数の後続のフィールドは、時間または周波数サブキャリア（トーン）において繰り返され得る。ＲＬ−ＳＩＧ９１０の極性は、特定の後続のフィールドがパケット８００中で繰り返されるか否かを示すことができる。例えば、ＲＬ−ＳＩＧ９１０の正極性は、ＨＥ−ＳＩＧ０フィールド８１５が繰り返されないことを示すことができ、ＲＬ−ＳＩＧ９１０の負極性は、ＨＥ−ＳＩＧ０フィールド８１５が繰り返されることを示すことができる（または、他の実施形態において、その逆も同様である）。
【０１１８】
[00126]  いくつかの実施形態において、ＲＬ−ＳＩＧ９１０の極性は、ＨＥ−ＳＩＧ０  ８１５および／またはＨＥ−ＳＩＧ１  ８２０のための特定のＭＣＳを示すことができる。例えば、ＲＬ−ＳＩＧ９１０の正極性は、１つまたは複数の後続のシンボルがＭＣＳ０を使用することを示すことができ、ＲＬ−ＳＩＧ９１０の負極性は、後続のシンボルがＭＣＳ１を使用することを示すことができる（または、他の実施形態において、その逆も同様である）。上記の例は例証的であるが、ＲＬ−ＳＩＧ９１０値の異なる極性が、任意の特定のプリセットされたまたは動的に決定されたＭＣＳに対応することができる。
【０１１９】
[00127]  いくつかの実施形態において、１つまたは複数の後続のシンボルは、随意に、より低い信号対干渉プラス雑音比（ＳＩＮＲ）をサポートすることができる。より低いＳＩＮＲは、パケット８００中の他のシンボルのＳＩＮＲよりも低くなり得る。ＲＬ−ＳＩＧ９１０の極性は、いくつかの後続のシンボルがより低いＳＩＮＲをサポートするか否かを示すことができる。例えば、ＲＬ−ＳＩＧ９１０の正極性は、１つまたは複数の後続のシンボルがより低いＳＩＮＲをサポートすることを示すことができ、ＲＬ−ＳＩＧ９１０の負極性は、後続のシンボルがより低いＳＩＮＲをサポートしないことを示すことができる（または、他の実施形態において、その逆も同様である）。
【０１２０】
[00128]  いくつかの実施形態において、１つまたは複数の後続のフィールドは、随意に、多数の圧縮モードをサポートすることができる。ＲＬ−ＳＩＧ９１０の極性は、いくつかの後続のシンボルがより低いＳＩＮＲをサポートするか否かを示すことができる。例えば、ＲＬ−ＳＩＧ９１０の正極性は、１つまたは複数の後続のフィールドが多数の圧縮モードをサポートすることを示すことができ、ＲＬ−ＳＩＧ９１０の負極性は、後続のフィールドが多数の圧縮モードをサポートしないことを示すことができる（または、他の実施形態において、その逆も同様である）。ＲＬ−ＳＩＧ９１０の極性は、例えば、ＨＥ−ＬＴＦフィールドのような、特定のフィールドのための圧縮モードを示すことができる。例えば、ＲＬ−ＳＩＧ９１０の正極性は、ＨＥ−ＬＴＦフィールドが第１の圧縮モードを使用することを示すことができ、ＲＬ−ＳＩＧ９１０の負極性は、ＨＥ−ＬＴＦフィールドが第１の圧縮モードを使用することを示すことができる（または、他の実施形態において、その逆も同様である）。
【０１２１】
[00129]  図１０は、図１のワイヤレス通信システム１００内で採用され得るワイヤレス通信の例示的な方法のためのフローチャート１０００を指し示す。本方法は、図２に差し示されているワイヤレスデバイス２０２のような、本明細書で説明するデバイスによって全体的にまたは部分的にインプリメントされ得る。本明細書では、例証された方法について、図１に関して上記で論議したワイヤレス通信システム１００、ならびに図８〜図９に関して上記で論議したパケット８００および９００に関して説明するが、例証された方法は、本明細書で説明する別のデバイス、あるいは（ＳＴＡ１０６および／またはＡＰ１０４のような）任意の他の好適なデバイスによってインプリメントされ得ることを、当業者は諒解されよう。本明細書では、例証された方法について、特定の順序に関して説明するが、様々な実施形態において、本明細書のブロックは、異なる順序で実行されるか、または省略され得、さらなるブロックが追加され得る。
【０１２２】
[00130]  最初に、ブロック１０１０において、ワイヤレスデバイスは第１のパケットを生成する。例えば、ＡＰ１０４はパケット８００を生成することができる。第１のパケットは、複数のデバイスによって復号可能な第１のプリアンブルと、複数のデバイスのサブセットのみによって復号可能な第２のプリアンブルとを含む。例えば、第１のプリアンブルは、レガシーデバイスとＨＥＷデバイスの両方によって復号可能なレガシープリアンブル８０５を含むことができ、第２のプリアンブルは、レガシーデバイスによって復号可能でないＨＥプリアンブル８１０を含むことができる。第１のプリアンブルは第１の信号フィールドを含み、第２のプリアンブルは第２の信号フィールドを含む。例えば、第１の信号フィールドはＬ−ＳＩＧ８０５を含むことができ、第２の信号フィールドはＨＥ−ＳＩＧ０  ８１５を含むことができる。
【０１２３】
[00131]  次に、ブロック１０２０において、ワイヤレスデバイスは、例えば、１つまたは複数の後続のシンボルのガードインターバル長さ、第１のトレーニングフィールドの圧縮モード、後続のフィールドの繰り返し、１つまたは複数の後続のシンボルのための多数のガードインターバルオプション、１つまたは複数の後続のシンボルのための多数の変調およびコーディング方式、あるいは１つまたは複数の後続のシンボルのための信号対干渉プラス雑音比サポートのような、非長さ信号情報を運搬するように第１の信号フィールドの長さ指示を設定する。本明細書で使用する非長さ信号情報は、パケットのみの長さを超えて、パケットシグナリングまたは後続のシンボルに関する任意の情報を含むことができる。しかしながら、いくつかの実施形態において、第１の信号フィールドの長さ指示は、それでも、非長さ情報を運搬することに加えて、パケットの長さを正確に搬送することができる（例えば、ここで、長さ指示は、非長さ情報を搬送する値に設定され、パケットは、長さ指示がパケットの長さをも正確に搬送するようにパディングされる）。
【０１２４】
[00132]  例えば、長さ指示は、ＨＥ−ＳＩＧ０  ８１５および／またはＨＥ−ＳＩＧ１  ８２０において開始するガードインターバル長さを示すことができる。別の例として、長さ指示は、ＨＥ−ＬＴＦの圧縮モードを示すことができる。別の例として、長さ指示は、第２の信号フィールドが繰り返されるかどうかを示すことができる。別の例として、長さ指示は、長さフィールドに続くいくつかのシンボルが２つ以上のＧＩオプションを有するかどうかを示すことができる。別の例として、長さ指示は、長さフィールドに続くいくつかのシンボルが２つ以上のＭＣＳオプションを有するかどうかを示すことができる。別の例として、長さ指示は、長さフィールドに続くいくつかのシンボルが２つ以上のＳＩＮＲオプションを有するかどうかを示すことができる。
【０１２５】
[00133]  様々な実施形態において、長さ指示、モジュロ３を１に設定することは、第１のガードインターバル長さを示すことができる。長さ指示、モジュロ３を２に設定することは、第２のガードインターバル長さを示すことができる。第１のガードインターバル長さは、第２のガードインターバル長さよりも短くなり得る。例えば、１のＬＭ３は、１つまたは複数の後続のシンボルのためのショートＧＩを示すことができ、２のＬＭ３は、１つまたは複数の後続のシンボルのためのロングＧＩを示すことができる。
【０１２６】
[00134]  様々な実施形態において、長さ指示、モジュロ３を２に設定することは、第１のガードインターバル長さを示すことができる。長さ指示、モジュロ３を１に設定することは、第２のガードインターバル長さを示すことができる。第１のガードインターバル長さは、第２のガードインターバル長さよりも短くなり得る。例えば、２のＬＭ３は、１つまたは複数の後続のシンボルのためのショートＧＩを示すことができ、１のＬＭ３は、１つまたは複数の後続のシンボルのためのロングＧＩを示すことができる。
【０１２７】
[00135]  様々な実施形態において、長さ指示は、第２の信号フィールドにおいて開始する１つまたは複数の後続のシンボルのガードインターバル長さを示すことができる。例えば、長さ指示は、ＨＥ−ＳＩＧ０フィールド８１５において開始するＧＩモードを示すことができる。
【０１２８】
[00136]  様々な実施形態において、第１のパケットは第１の信号フィールドの繰り返されたバージョンをさらに含むことができる。例えば、パケットはパケット９００を含むことができ、第１の信号フィールドの繰り返されたバージョンは繰り返されたＬ−ＳＩＧ９１０を含むことができる。第２のプリアンブルは第３の信号フィールドをさらに含むことができる。例えば、第３の信号フィールドはＨＥ−ＳＩＧ１  ８２０フィールドを含むことができる。長さ指示は、第３の信号フィールドにおいて開始するガードインターバル長さを示すことができる。例えば、長さ指示は、ＨＥ−ＳＩＧ１フィールド８２０において開始するＧＩモードを示すことができる。
【０１２９】
[00137]  様々な実施形態において、長さ指示は、第１の信号フィールド後のプリセットされた数のシンボル後から開始するガードインターバル長さを示すことができる。例えば、長さ指示は、様々な実施形態において、Ｌ−ＳＩＧ８０５またはＬ−ＳＩＧ９１０後の１つ、２つ、３つ、またはそれ以上のシンボル後から開始するガードインターバル長さを示すことができる。様々な実施形態において、第２のプリアンブルは第１のトレーニングフィールドと第２のトレーニングフィールドとをさらに含むことができ、第１のトレーニングフィールドは第２のトレーニングフィールドよりも長い。例えば、ＨＥ−プリアンブル８１０は、ＨＥ−ＬＴＦとＨＥ−ＳＴＦとをさらに含むことができる。
【０１３０】
[00138]  様々な実施形態において、第１の信号フィールドは、正または負の極性を有する第３の信号フィールドの繰り返しであり、長さ指示を設定することは、第１の信号フィールドの極性を設定することを含むことができる。様々な実施形態において、長さ指示、モジュロ３を０に設定することは、第３のガードインターバル長さを示すことができる。
【０１３１】
[00139]  次いで、ブロック１０３０において、ワイヤレスデバイスは第１のパケットを送信する。例えば、ＡＰ１０４は、送信機２１０を介してパケット８００を送信することができる。
【０１３２】
[00140]  一実施形態において、図１０に差し示されている方法は、生成回路と、設定回路と、送信回路とを含むことができるワイヤレスデバイスにおいてインプリメントされ得る。ワイヤレスデバイスが、本明細書で説明する簡略化されたワイヤレスデバイスよりも多くの構成要素を有することができることを、当業者は諒解されよう。本明細書で説明するワイヤレスデバイスは、特許請求の範囲内のインプリメンテーションのいくつかの顕著な特徴を説明するのに有用な構成要素のみを含む。
【０１３３】
[00141]  生成回路は、パケットを生成するように構成され得る。いくつかの実施形態において、生成回路は、図１０の少なくともブロック１０１０を実行するように構成され得る。生成回路は、プロセッサ２０４（図２）、メモリ２０６（図２）、およびＤＳＰ２２０（図２）のうちの１つまたは複数を含むことができる。いくつかのインプリメンテーションにおいて、生成するための手段は生成回路を含むことができる。
【０１３４】
[00142]  設定回路は、長さ指示を設定するように構成され得る。いくつかの実施形態において、設定回路は、図１０の少なくともブロック１０２０を実行するように構成され得る。設定回路は、プロセッサ２０４（図２）、メモリ２０６（図２）、およびＤＳＰ２２０（図２）のうちの１つまたは複数を含むことができる。いくつかのインプリメンテーションにおいて、設定するための手段は設定回路を含むことができる。
【０１３５】
[00143]  送信回路は、パケットを送信するように構成され得る。いくつかの実施形態において、送信回路は、図１０の少なくともブロック１０３０を実行するように構成され得る。送信回路は、送信機２１０（図２）、アンテナ２１６（図２）、およびトランシーバ２１４（図２）のうちの１つまたは複数を含むことができる。いくつかのインプリメンテーションにおいて、送信するための手段は送信回路を含むことができる。
【０１３６】
[00144]  情報および信号は種々の異なる技術および技法のいずれかを使用して表され得ることを、当業者は理解されよう。例えば、上記の説明全体にわたって言及され得る、データ、命令、コマンド、情報、信号、ビット、シンボル、およびチップは、電圧、電流、電磁波、磁界または磁性粒子、光場または光学粒子、あるいはそれらの任意の組合せによって表され得る。
【０１３７】
[00145]  本開示で説明したインプリメンテーションへの様々な修正は当業者には容易に明らかであり得、本明細書で定義した一般原理は、本開示の趣旨または範囲から逸脱することなく他のインプリメンテーションに適用され得る。よって、本開示は、本明細書で示したインプリメンテーションに限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明するいかなるインプリメンテーションも、必ずしも他のインプリメンテーションよりも好ましいまたは有利であると解釈されるべきであるとは限らない。
【０１３８】
[00146]  また、別個のインプリメンテーションに関して本明細書で説明したある特徴は、単一のインプリメンテーションにおいて組合せでインプリメントされ得る。また、逆に、単一のインプリメンテーションに関して説明した様々な特徴は、多数のインプリメンテーションにおいて別個に、または任意の好適な部分組合せでインプリメントされ得る。その上、特徴は、いくつかの組合せで働くものとして上記で説明され、初めにそのように請求されることさえあるが、請求される組合せからの１つまたは複数の特徴は、いくつかのケースにおいて、その組合せから削除され得、請求される組合せは、部分組合せ、または部分組合せの変形を対象とし得る。
【０１３９】
[00147]  上記で説明した方法の様々な動作は、（１つまたは複数の）様々なハードウェアおよび／またはソフトウェア構成要素、回路、および／または（１つまたは複数の）モジュールのような、それらの動作を実行することが可能な任意の好適な手段によって実行され得る。概して、図に例証するいかなる動作も、その動作を実行することが可能な対応する機能的手段によって実行され得る。
【０１４０】
[00148]  本開示に関連して説明した様々な例証的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェア構成要素、あるいは本明細書で説明した機能を実行するように設計されたそれらの任意の組合せを用いてインプリメントまたは実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成としてインプリメントされ得る。
【０１４１】
[00149]  １つまたは複数の態様において、説明した機能は、ハードウェア、ソフトウェア、ファームウェア、またはそれらの任意の組合せでインプリメントされ得る。ソフトウェアでインプリメントされる場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を促進する任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを運搬または記憶するために使用され得、コンピュータによってアクセスされ得る、任意の他の媒体を含むことができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波等のワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波等のワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。よって、いくつかの態様において、コンピュータ可読媒体は非一時的コンピュータ可読媒体（例えば、有形媒体）を含むことができる。さらに、いくつかの態様において、コンピュータ可読媒体は一時的コンピュータ可読媒体（例えば、信号）を含むことができる。上記の組合せもコンピュータ可読媒体の範囲内に含まれ得る。
【０１４２】
[00150]  本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が特定されない限り、特定のステップおよび／またはアクションの順序および／または使用は、特許請求の範囲から逸脱することなく変更され得る。
【０１４３】
[00151]  さらに、本明細書で説明した方法および技法を実行するためのモジュールおよび／または他の適切な手段は、適用可能な場合にユーザ端末および／または基地局によってダウンロードされ、および／または他の方法で取得され得ることが諒解され得る。例えば、そのようなデバイスは、本明細書で説明した方法を実行するための手段の転送を促進するためにサーバに結合され得る。代替的に、本明細書で説明した様々な方法は、ユーザ端末および／または基地局が、記憶手段（例えば、ＲＡＭ、ＲＯＭ、コンパクトディスク（ＣＤ）またはフロッピーディスク等の物理記憶媒体等）がデバイスに結合または提供されたとき、様々な方法を得ることができるように、記憶手段を介して提供され得る。その上、本明細書で説明した方法および技法をデバイスに提供するための任意の他の好適な技法が利用され得る。
【０１４４】
[00152]  上記は本開示の態様を対象とするが、本開示の他の態様およびさらなる態様は、それの基本的範囲から逸脱することなく考案され得、それの範囲は以下の特許請求の範囲によって決定される。
【図１】
2017533650.tif 000003
【図２】
2017533650.tif 000004
【図３】
2017533650.tif 000005
【図４】
2017533650.tif 000006
【図５】
2017533650.tif 000007
【図６】
2017533650.tif 000008
【図７】
2017533650.tif 000009
【図８】
2017533650.tif 000010
【図９】
2017533650.tif 000011
【図１０】
2017533650.tif 000012
【国際調査報告】
2017533650.tif 000013
2017533650.tif 000014